(57)【要約】【課題】ＡＧＣ制御誤差または受信環境による受信性能への影響の低減が可能なダイバシティ切替装置を提供すること。【解決手段】デジタル変調アナログ信号を無線で受信する複数の無線受信手段１０１、１０２、および各無線受信手段１０１、１０２、から出力されるベースバンド信号を選択するブランチ判定切替手段７０および８０を備え、無線受信手段１０１は、受信アナログ信号を自動利得制御する手段を含み１１、３１、３２、３３、ブランチ判定切替手段７０および８０は、自動利得制御手段１１、３１、３２、３３、によって出力された自動利得制御に必要な補償利得の情報に基づいて、各無線受信手段のいずれかが出力する復号信号をベースバンド信号として選択する構成を有している。【選択図】　図１
2004015124.tif 000002
【特許請求の範囲】
【請求項１】
デジタル信号に基づいて変調して得られるアナログ信号を無線で受信する複数の無線受信手段、および前記各無線受信手段から出力される復号信号であって外部の装置に出力する信号であるベースバンド信号を選択するブランチ判定切替手段を備え、前記無線受信手段は、前記受信したアナログ信号を所定の増幅率で増幅する増幅手段と、前記増幅手段によって増幅された信号を復調して復調信号を生成する復調手段と、前記復調信号を復号して前記復号信号を生成する復号手段と、前記復調信号の信号レベルを所定の目標レベルにするために必要な利得の絶対値である補償利得に関する利得制御情報を生成し、前記利得制御情報に基づいて前記増幅手段による増幅の増幅率を制御するＡＧＣ制御手段とを有し、前記ブランチ判定切替手段は、前記各ＡＧＣ制御手段が生成する前記利得制御情報に基づいて前記各無線受信手段のいずれかが出力する復号信号をベースバンド信号として選択することを特徴とするダイバシティ切替装置。
【請求項２】
前記ブランチ判定切替手段は、さらに、前記利得制御情報に基づいて前記各無線受信手段を異なる複数のグループに分類し、予め決められた優先順位に基づいて１または２の前記グループを候補グループとして選択し、前記候補グループに含まれる各無線受信手段によって生成される前記利得制御情報に基づいて前記ベースバンド信号を選択することを特徴とする請求項１記載のダイバシティ切替装置。
【請求項３】
デジタル信号に基づいて変調して得られるアナログ信号を無線で受信する複数の無線受信手段、および前記各無線受信手段から出力される復号信号であって外部の装置に出力する信号であるベースバンド信号を選択するブランチ判定切替手段を備え、前記無線受信手段は、前記受信したアナログ信号を所定の増幅率で増幅する増幅手段と、前記増幅手段によって増幅された信号を復調して復調信号を生成する復調手段と、前記復調信号を復号して前記復号信号を生成する復号手段と、前記復調信号の信号レベルを所定の目標レベルにするために必要な利得の絶対値である補償利得に関する利得制御情報を生成し、前記利得制御情報に基づいて前記増幅手段による増幅の増幅率を制御するＡＧＣ制御手段とを有し、前記ブランチ判定切替手段は、前記各復調手段によって出力された復調信号の信号レベルのうち、上位２つの信号レベルの差の絶対値が所定のしきい値を超える場合は、信号レベルが最も高い復調信号に基づいて生成される復号信号を前記ベースバンド信号として選択し、前記上位２つの信号レベルの絶対値の差が所定のしきい値以内の場合は、前記上位２つの信号レベルの時間変化の情報に基づいて前記上位の２つの信号レベルを有する復号信号に基づいて生成される復号信号のいずれかを前記ベースバンド信号として選択することを特徴とするダイバシティ切替装置。
【請求項４】
前記ブランチ判定切替手段は、さらに、前記利得制御情報に基づいて前記各無線受信手段を異なる複数のグループに分類し、予め決められた優先順位に基づいて１または２の前記グループを候補グループとして選択し、前記候補グループに含まれる各無線受信手段が有する前記ＡＧＣ制御手段によって生成された利得制御情報に基づいて、下位２つの補償利得の差の絶対値が所定のしきい値を超える場合は、補償利得が最も低い復調信号に基づいて生成される復号信号を前記ベースバンド信号として選択し、前記下位２つの補償利得の絶対値の差が所定のしきい値以内の場合は、前記下位２つの補償利得の時間変化の情報に基づいて前記下位の２つの補償利得を有する復号信号に基づいて生成される復号信号のいずれかを前記ベースバンド信号として選択することを特徴とする請求項２記載のダイバシティ切替装置。
【請求項５】
前記ブランチ判定切替手段は、さらに、前記下位２つの補償利得の時間変化の速度差が所定値以内の場合は、再度、前記下位２つの補償利得のうち、補償利得が最も低い復調信号に基づいて生成される復号信号を前記ベースバンド信号として選択することを特徴とする請求項４記載のダイバシティ切替装置。
【請求項６】
前記ダイバシティ切替装置は、さらに、無線受信手段毎に、前記復号信号を対象として誤り検出を行う手段を備え、前記ブランチ判定切替手段は、前記誤りが検出されたときは、前記誤りが検出された復号信号を生成した前記無線受信手段によって出力される復号信号を前記ベースバンド信号として選択しないことを特徴とする請求項１ないし５のいずれかに記載のダイバシティ切替装置。
【請求項７】
前記ダイバシティ切替装置は、さらに、無線受信手段毎に、前記復号信号を対象として誤り検出を行って誤り率を生成する誤り検出手段を備え、前記ブランチ判定切替手段は、さらに、前記誤り率に基づいて前記各無線受信手段を異なる複数のグループに分類し、予め決められた優先順位に基づいて１または２の前記グループを候補グループとして選択し、前記候補グループに含まれる各無線受信手段に対応する誤り検出手段によって生成された誤り率に基づき、下位２つの誤り率の差の絶対値が所定のしきい値を超える場合は、前記下位２つの誤り率のうち最も低い誤り率に対応する復号信号を前記ベースバンド信号として選択し、前記下位２つの誤り率の絶対値の差が所定のしきい値以内の場合は、前記下位２つの誤り率に対応する複合信号の補償利得の情報又は前記下位２つの誤り率に対応する復調信号の信号レベルの情報のいずれかと前記下位２つの誤り率の情報とに基づいて前記下位の２つの誤り率を有する復号信号のいずれかを前記ベースバンド信号として選択することを特徴とする請求項１ないし５のいずれかに記載のダイバシティ切替装置。
【請求項８】
前記ダイバシティ切替装置は、さらに、前記ブランチ判定切替手段が生成したベースバンド信号を対象として誤り検出を行う出力信号誤り検出手段を有し、前記ブランチ判定切替手段は、前記出力信号誤り検出手段によって検出された誤り検出の情報にも基づいて前記ベースバンド信号の選択を行うことを特徴とする請求項１ないし５のいずれかに記載のダイバシティ切替装置。
【請求項９】
前記ブランチ判定切替手段は、前記ベースバンド信号として選択される前記復号信号中に、前記復号信号を生成するためのフレーム同期に用いるユニークワード信号が検出されない場合は、ユニークワード信号が検出された他の復号信号の中からベースバンド信号を選択することを特徴とする請求項１ないし８のいずれかに記載のダイバシティ切替装置。
【発明の詳細な説明】
【０００１】
【発明の属する技術分野】
本発明は、ダイバシティ切替装置に関し、特に、ベースバンド切換型空間ダイバシティの切替に用いられるダイバシティ切替装置に関する。
【０００２】
【従来の技術】
従来、無線通信装置における受信品質を改善するため、単一のアンテナによる受信ではなく、複数のアンテナを用いて電波を受信し、受信した電波に基づいて得られる受信信号のうちの最も信号レベルの高い信号を出力したアンテナを受信アンテナとして採用する空間ダイバシティ切替装置が知られている。
【０００３】
図１５は、従来の空間ダイバシティ切替装置の構成の一例を示すブロック構成図である。
図１５に示す空間ダイバシティ切替装置１５００は、公知のデジタル自動利得制御回路（Ａｕｔｏ　Ｇａｉｎ　Ｃｏｎｔｒｏｌ、以下ＡＧＣという。）１５３０、１５４０を含む無線受信手段１５０１、１５０２をアンテナ毎に有する空間ダイバシティ切替装置であり、ダイバシティ切替を実現するアルゴリズムとして、無線受信手段（ブランチともいう。）１５０１、１５０２毎の受信電界レベル絶対値を比較する切替アルゴリズムが用いられている。
【０００４】
図１５に示す空間ダイバシティ切替装置１５００は、２つの無線受信手段１５０１、１５０２からなるダイバシティ切替装置の一例である。各無線受信手段１５０１、１５０２の構成は同一であるため、一つの無線受信手段（以下、この無線受信手段を無線受信手段１５０１とし、無線受信手段のことをブランチともいう。）の構成についてのみ説明する。
【０００５】
ａブランチＩＦ段ＡＧＣアンプ１５１１に入力された受信信号は、ａブランチＩＦ段ＡＧＣアンプ１５１１によって増幅され、ａブランチＩＦ段ＡＤコンバータ１５１２によりアナログデジタル変換され、ａブランチデジタル直交復調／ナイキストフィルタ手段１５１３によって直交復調され所定のフィルタ処理されて、ａブランチ電力変換処理手段１５３１およびａブランチ復号手段１５５１に出力される。
【０００６】
ａブランチ電力変換処理手段１５３１に入力された直交復調後のＩ軸成分信号とＱ軸成分信号は、Ｉ軸成分信号とＱ軸成分信号の２乗和の平方根を取ることによって信号レベルの情報を含む受信レベル信号が生成され、ａブランチスムージングフィルタ１５３２によってスムージング処理が施されて平滑化され、対数変換手段１５３３およびダイバシティ判定手段１５７０に出力される。
【０００７】
一方、ａブランチ復号手段１５５１に入力された直交信号は、ａブランチ復号手段１５５１によって復号処理がなされ、ａブランチフレーム同期手段１５５２によって無線受信手段１５０２経由で出力される信号との同期をとるためのフレーム同期処理が施される。
【０００８】
ダイバシティ判定手段１５７０は、ａブランチスムージングフィルタ１５３２によって出力された受信レベル信号とｂブランチスムージングフィルタ１５４２によって出力された受信レベル信号とに基づいて、信号レベルの高い方の受信信号に対応する復号信号を選択し、その情報をブランチ切替部１５８０に出力する。
ブランチ切替手段１５８０は、ダイバシティ判定手段１５７０によって選択された復号信号に対応するブランチを外部の装置に接続し、選択された復号信号を外部の装置に出力する。
【０００９】
【発明が解決しようとする課題】
しかしながら、従来の空間ダイバシティ切替装置では、受信信号の信号レベルを最優先のダイバシティ判定基準とし、デジタルＡＧＣのループ時定数に起因するＡＧＣゲインの更新間隔が大きいことを考慮せずにダイバシティ選択を行っていたため、これに伴い発生するＡＧＣ制御誤差を無視してダイバシティ選択してしまい、ループ時定数に起因して劣化確率の高いブランチをダイバシティ選択することがあるという問題があった。
【００１０】
また伝搬路においてフェージング、マルチパス等の影響が無視できない環境で用いられる場合、単に受信電界だけで一元的にダイバシティ判定を実施すると誤って劣化傾向にあるブランチを選択してしまうという問題があった。
本発明はこのような問題を解決するためになされたもので、ＡＧＣ制御誤差または受信環境による受信性能への影響の低減が可能なダイバシティ切替装置を提供することにある。
【００１１】
【課題を解決するための手段】
本発明のダイバシティ切替装置は、デジタル信号に基づいて変調して得られるアナログ信号を無線で受信する複数の無線受信手段、および前記各無線受信手段から出力される復号信号であって外部の装置に出力する信号であるベースバンド信号を選択するブランチ判定切替手段を備え、前記無線受信手段は、前記受信したアナログ信号を所定の増幅率で増幅する増幅手段と、前記増幅手段によって増幅された信号を復調して復調信号を生成する復調手段と、前記復調信号を復号して前記復号信号を生成する復号手段と、前記復調信号の信号レベルを所定の目標レベルにするために必要な利得の絶対値である補償利得に関する利得制御情報を生成し、前記利得制御情報に基づいて前記増幅手段による増幅の増幅率を制御するＡＧＣ制御手段とを有し、前記ブランチ判定切替手段は、前記各ＡＧＣ制御手段が生成する前記利得制御情報に基づいて前記各無線受信手段のいずれかが出力する復号信号をベースバンド信号として選択する構成を有している。この構成により、目標レベルとＡＧＣ制御手段が検出した受信信号レベルとの差の絶対値に基づいてベースバンド信号を出力するアンテナ毎の無線受信手段を選択するため、デジタルＡＧＣのループ時定数に起因して劣化確率の高い無線受信手段をダイバシティ選択してしまうことがなく、ループ時定数に起因する影響を回避が可能であり、ＡＧＣ制御誤差または受信環境による受信性能への影響の低減が可能なダイバシティ切替装置を実現することができる。
【００１２】
また、本発明のダイバシティ切替装置は、デジタル信号に基づいて変調して得られるアナログ信号を無線で受信する複数の無線受信手段、および前記各無線受信手段から出力される復号信号であって外部の装置に出力する信号であるベースバンド信号を選択するブランチ判定切替手段を備え、前記無線受信手段は、前記受信したアナログ信号を所定の増幅率で増幅する増幅手段と、前記増幅手段によって増幅された信号を復調して復調信号を生成する復調手段と、前記復調信号を復号して前記復号信号を生成する復号手段と、前記復調信号の信号レベルを所定の目標レベルにするために必要な利得の絶対値である補償利得に関する利得制御情報を生成し、前記利得制御情報に基づいて前記増幅手段による増幅の増幅率を制御するＡＧＣ制御手段とを有し、前記ブランチ判定切替手段は、前記利得制御情報に基づいて前記各無線受信手段を異なる複数のグループに分類し、予め決められた優先順位に基づいて１または２の前記グループを候補グループとして選択し、前記候補グループに含まれる各無線受信手段によって生成される前記利得制御情報に基づいて前記ベースバンド信号を選択する構成を有している。この構成により、アンテナ毎の無線受信手段に対する補償利得に応じてグループ分けを行って候補グループを選択するため、ダイバシティ切替において選択される候補としての無線受信手段を限定でき、効率の良い無線受信手段の選択が可能であり、ＡＧＣ制御誤差または受信環境による受信性能への影響の低減が可能なダイバシティ切替装置を実現することができる。
【００１３】
また、本発明のダイバシティ切替装置は、デジタル信号に基づいて変調して得られるアナログ信号を無線で受信する複数の無線受信手段、および前記各無線受信手段から出力される復号信号であって外部の装置に出力する信号であるベースバンド信号を選択するブランチ判定切替手段を備え、前記無線受信手段は、前記受信したアナログ信号を所定の増幅率で増幅する増幅手段と、前記増幅手段によって増幅された信号を復調して復調信号を生成する復調手段と、前記復調信号を復号して前記復号信号を生成する復号手段と、前記復調信号の信号レベルを所定の目標レベルにするために必要な利得の絶対値である補償利得に関する利得制御情報を生成し、前記利得制御情報に基づいて前記増幅手段による増幅の増幅率を制御するＡＧＣ制御手段とを有し、前記ブランチ判定切替手段は、前記各復調手段によって出力された復調信号の信号レベルのうち、上位２つの信号レベルの差の絶対値が所定のしきい値を超える場合は、信号レベルが最も高い復調信号に基づいて生成される復号信号を前記ベースバンド信号として選択し、前記上位２つの信号レベルの絶対値の差が所定のしきい値以内の場合は、前記上位２つの信号レベルの時間変化の情報に基づいて前記上位の２つの信号レベルを有する復号信号に基づいて生成される復号信号のいずれかを前記ベースバンド信号として選択する構成を有している。この構成により、受信信号の信号レベルの時間変化を監視するため、信号レベルが低下するアンテナの無線受信手段を予測しながら選択することが可能であり、ＡＧＣ制御誤差または受信環境による受信性能への影響の低減が可能なダイバシティ切替装置を実現することができる。
【００１４】
また、本発明のダイバシティ切替装置は、デジタル信号に基づいて変調して得られるアナログ信号を無線で受信する複数の無線受信手段、および前記各無線受信手段から出力される復号信号であって外部の装置に出力する信号であるベースバンド信号を選択するブランチ判定切替手段を備え、前記無線受信手段は、前記受信したアナログ信号を所定の増幅率で増幅する増幅手段と、前記増幅手段によって増幅された信号を復調して復調信号を生成する復調手段と、前記復調信号を復号して前記復号信号を生成する復号手段と、前記復調信号の信号レベルを所定の目標レベルにするために必要な利得の絶対値である補償利得に関する利得制御情報を生成し、前記利得制御情報に基づいて前記増幅手段による増幅の増幅率を制御するＡＧＣ制御手段とを有し、前記ブランチ判定切替手段は、前記利得制御情報に基づいて前記各無線受信手段を異なる複数のグループに分類し、予め決められた優先順位に基づいて１または２の前記グループを候補グループとして選択し、前記候補グループに含まれる各無線受信手段が有する前記ＡＧＣ制御手段によって生成された利得制御情報に基づいて、下位２つの補償利得の差の絶対値が所定のしきい値を超える場合は、補償利得が最も低い復調信号に基づいて生成される復号信号を前記ベースバンド信号として選択し、前記下位２つの補償利得の絶対値の差が所定のしきい値以内の場合は、前記下位２つの補償利得の時間変化の情報に基づいて前記下位の２つの補償利得を有する復号信号に基づいて生成される復号信号のいずれかを前記ベースバンド信号として選択する構成を有している。この構成により、アンテナ毎の無線受信手段を補償利得に基づいてグループ分けを行うため、アンテナ毎の受信手段を複数備えた場合には、受信信号の信号レベルが高い無線受信手段を効率よく選択することが可能であり、また、信号レベルの時間変化を監視するため、信号レベルの低下が予想されない無線受信手段からのベースバンド信号を選択することが可能なダイバシティ切替装置を実現することができる。
【００１５】
また、本発明のダイバシティ切替装置は、デジタル信号に基づいて変調して得られるアナログ信号を無線で受信する複数の無線受信手段、および前記各無線受信手段から出力される復号信号であって外部の装置に出力する信号であるベースバンド信号を選択するブランチ判定切替手段を備え、前記無線受信手段は、前記受信したアナログ信号を所定の増幅率で増幅する増幅手段と、前記増幅手段によって増幅された信号を復調して復調信号を生成する復調手段と、前記復調信号を復号して前記復号信号を生成する復号手段と、前記復調信号の信号レベルを所定の目標レベルにするために必要な利得の絶対値である補償利得に関する利得制御情報を生成し、前記利得制御情報に基づいて前記増幅手段による増幅の増幅率を制御するＡＧＣ制御手段とを有し、前記ブランチ判定切替手段は、前記利得制御情報に基づいて前記各無線受信手段を異なる複数のグループに分類し、予め決められた優先順位に基づいて１または２の前記グループを候補グループとして選択し、前記候補グループに含まれる各無線受信手段が有する前記ＡＧＣ制御手段によって生成された利得制御情報に基づいて、下位２つの補償利得の差の絶対値が所定のしきい値を超える場合は、補償利得が最も低い復調信号に基づいて生成される復号信号を前記ベースバンド信号として選択し、前記下位２つの補償利得の絶対値の差が所定のしきい値以内の場合は、前記下位２つの補償利得の時間変化の情報に基づいて前記下位の２つの補償利得を有する復号信号に基づいて生成される復号信号のいずれかを前記ベースバンド信号として選択し、さらに、前記下位２つの補償利得の時間変化の速度差が所定値以内の場合は、再度、前記下位２つの補償利得のうち、補償利得が最も低い復調信号に基づいて生成される復号信号を前記ベースバンド信号として選択する構成を有している。この構成により、アンテナ毎の無線受信手段を補償利得に基づいてグループ分けを行うため、アンテナ毎の受信手段を複数備えた場合には、受信信号の信号レベルの高い無線受信手段の効率のよい選択が可能であり、また、信号レベルの時間変化を監視するため、信号レベルが低下するアンテナの無線受信手段を予測しながら選択することが可能であり、さらに、受信信号の信号レベルと予め定められた目標レベルとの差分に応じて受信データを出力するアンテナ毎の無線受信手段を選択するため、受信された信号のレベルに応じたアンテナ毎の無線受信手段の選択が可能なダイバシティ切替装置を実現することができる。
【００１６】
また、本発明のダイバシティ切替装置は、デジタル信号に基づいて変調して得られるアナログ信号を無線で受信する複数の無線受信手段、前記各無線受信手段から出力される復号信号であって外部の装置に出力する信号であるベースバンド信号を選択するブランチ判定切替手段、および無線受信手段毎に、前記復号信号を対象として誤り検出を行う手段を備え、前記無線受信手段は、前記受信したアナログ信号を所定の増幅率で増幅する増幅手段と、前記増幅手段によって増幅された信号を復調して復調信号を生成する復調手段と、前記復調信号を復号して前記復号信号を生成する復号手段と、前記復調信号の信号レベルを所定の目標レベルにするために必要な利得の絶対値である補償利得に関する利得制御情報を生成し、前記利得制御情報に基づいて前記増幅手段による増幅の増幅率を制御するＡＧＣ制御手段とを有し、前記ブランチ判定切替手段は、前記誤りが検出されたときは、前記誤りが検出された復号信号を生成した前記無線受信手段によって出力される復号信号を前記ベースバンド信号として選択せず、前記誤りが検出されない復号信号をダイバシティ切替装置から出力するベースバンド信号の対象として、前記各ＡＧＣ制御手段が生成する前記利得制御情報に基づいて前記各無線受信手段のいずれかが出力する復号信号をベースバンド信号として選択する構成、または、前記各復調手段によって出力された復調信号の信号レベルのうち、上位２つの信号レベルの差の絶対値が所定のしきい値を超える場合は、信号レベルが最も高い復調信号に基づいて生成される復号信号を前記ベースバンド信号として選択し、前記上位２つの信号レベルの絶対値の差が所定のしきい値以内の場合は、前記上位２つの信号レベルの時間変化の情報に基づいて前記上位の２つの信号レベルを有する復号信号に基づいて生成される復号信号のいずれかを前記ベースバンド信号として選択する構成を有している。この構成により、無線受信手段によって出力されるベースバンド信号の誤り検出する手段手段を設け、誤りが検出されたベースバンド信号をダイバシティ切替装置が出力するベースバンド信号として選択しないため、ダイバシティ切替において選択される候補としての無線受信手段を誤りのないベースバンド信号を出力する無線受信手段に限定でき、効率の良い無線受信手段の選択が可能なダイバシティ切替装置を実現することができる。
【００１７】
また、本発明のダイバシティ切替装置は、デジタル信号に基づいて変調して得られるアナログ信号を無線で受信する複数の無線受信手段、前記各無線受信手段から出力される復号信号であって外部の装置に出力する信号であるベースバンド信号を選択するブランチ判定切替手段、および無線受信手段毎に、前記復号信号を対象として誤り検出を行って誤り率を生成する誤り検出手段を備え、前記ブランチ判定切替手段は、さらに、前記誤り率に基づいて前記各無線受信手段を異なる複数のグループに分類し、予め決められた優先順位に基づいて１または２の前記グループを候補グループとして選択し、前記候補グループに含まれる各無線受信手段に対応する誤り検出手段によって生成された誤り率に基づき、下位２つの誤り率の差の絶対値が所定のしきい値を超える場合は、前記下位２つの誤り率のうち最も低い誤り率に対応する復号信号を前記ベースバンド信号として選択し、前記下位２つの誤り率の絶対値の差が所定のしきい値以内の場合は、前記下位２つの誤り率に対応する複合信号の補償利得の情報又は前記下位２つの誤り率に対応する復調信号の信号レベルの情報のいずれかと前記下位２つの誤り率の情報とに基づいて前記下位の２つの誤り率を有する復号信号のいずれかを前記ベースバンド信号として選択する構成を有している。この構成により、無線受信手段によって出力されるベースバンド信号の誤り検出する手段手段を設け、誤り率の少ないベースバンド信号をダイバシティ切替装置が出力するベースバンド信号として選択するため、ダイバシティ切替において選択される候補としての無線受信手段を誤り率の少ないベースバンド信号を出力する無線受信手段に限定でき、安定した効率の良い無線受信手段の選択が可能なダイバシティ切替装置を実現することができる。
【００１８】
また、本発明のダイバシティ切替装置は、デジタル信号に基づいて変調して得られるアナログ信号を無線で受信する複数の無線受信手段、前記各無線受信手段から出力される復号信号であって外部の装置に出力する信号であるベースバンド信号を選択するブランチ判定切替手段、および前記ブランチ判定切替手段が生成したベースバンド信号を対象として誤り検出を行う出力信号誤り検出手段を備え、前記無線受信手段は、前記受信したアナログ信号を所定の増幅率で増幅する増幅手段と、前記増幅手段によって増幅された信号を復調して復調信号を生成する復調手段と、前記復調信号を復号して前記復号信号を生成する復号手段と、前記復調信号の信号レベルを所定の目標レベルにするために必要な利得の絶対値である補償利得に関する利得制御情報を生成し、前記利得制御情報に基づいて前記増幅手段による増幅の増幅率を制御するＡＧＣ制御手段とを有し、前記ブランチ判定切替手段は、前記出力信号誤り検出手段によって検出された誤り検出の情報にも基づいて前記ベースバンド信号の選択を行う構成を有している。この構成により、ブランチ切替部によって出力されるベースバンド信号の誤り検出する手段手段を設け、検出された誤りに関する情報にも基づいてダイバシティ切替装置が出力するベースバンド信号の選択を判断するため、出力されるベースバンド信号の誤りの情報も考慮され、効率の良い無線受信手段の選択が可能なダイバシティ切替装置を実現することができる。
【００１９】
また、本発明のダイバシティ切替装置は、デジタル信号に基づいて変調して得られるアナログ信号を無線で受信する複数の無線受信手段、および前記各無線受信手段から出力される復号信号であって外部の装置に出力する信号であるベースバンド信号を選択するブランチ判定切替手段を備え、前記無線受信手段は、前記受信したアナログ信号を所定の増幅率で増幅する増幅手段と、前記増幅手段によって増幅された信号を復調して復調信号を生成する復調手段と、前記復調信号を復号して前記復号信号を生成する復号手段と、前記復調信号の信号レベルを所定の目標レベルにするために必要な利得の絶対値である補償利得に関する利得制御情報を生成し、前記利得制御情報に基づいて前記増幅手段による増幅の増幅率を制御するＡＧＣ制御手段とを有し、前記ブランチ判定切替手段は、前記ベースバンド信号として選択される前記復号信号中に、前記復号信号を生成するためのフレーム同期に用いるユニークワード信号が検出されない場合は、ユニークワード信号が検出された他の復号信号の中から、前記各ＡＧＣ制御手段が生成する前記利得制御情報に基づいて前記各無線受信手段のいずれかが出力する復号信号をベースバンド信号として選択する構成を有している。この構成により、復号信号中に含まれるユニークワード信号が検出されない場合に、ユニークワード信号が検出されない復号信号に対応するベースバンド信号をダイバシティ切替装置が出力するベースバンド信号として選択しないため、ダイバシティ切替において選択される候補としての無線受信手段を誤りの少ないベースバンド信号を出力する無線受信手段に限定でき、効率の良い無線受信手段の選択が可能なダイバシティ切替装置を実現することができる。
【００２０】
【発明の実施の形態】
以下、本発明の第１の実施の形態について、図面を用いて説明する。
図１に示すように、本発明の第１の実施の形態のダイバシティ切替装置１００は、アナログ信号を無線で受信し、受信した受信信号のレベルを所定の目標レベルに設定するアンテナ毎の無線受信手段（ブランチともいう。）１０１、１０２、無線受信手段１０１と無線受信手段１０２とによって受信された受信信号の信号レベルを比較して信号レベルが目標レベルに近い方を選択するダイバシティ判定手段７０、および、ダイバシティ判定手段７０によって選択された無線受信手段によって得られたベースバンド信号を外部の装置に出力するブランチ切替手段８０を備えている。なお、ダイバシティ判定手段７０とブランチ切替手段８０とによってブランチ判定切替手段が構成されている。
【００２１】
無線受信手段１０１は、アンテナ等によって受信されたアナログ信号を増幅するａブランチＩＦ段ＡＧＣアンプ１１、増幅されたアナログ信号をサンプリングし、量子化するａブランチＩＦ段ＡＤコンバータ１２、量子化された信号を２値のデジタル信号に変換して直交復調し、所定のフィルタ処理を行うａブランチデジタル直交復調／ナイキストフィルタ手段１３、ａブランチＩＦ段ＡＧＣアンプ１１によって受信されたアナログ信号のレベルを補償するための補償利得情報を生成するＡＧＣ制御手段３０、直交復調されたデジタル信号を復号処理するａブランチ復号手段５１、および、無線受信手段１０２と同期させブランチ切替手段８０に復号されたデジタル信号を同期出力するａブランチフレーム同期手段５２を有している。
【００２２】
ＡＧＣ制御手段３０は、ａブランチデジタル直交復調／ナイキストフィルタ手段１３によって直交復調されて得られた信号成分の２乗和の平方根をとることによって得られた信号であって、復調信号の信号レベルの情報を示す復調合成信号の情報を生成するａブランチ電力変換処理手段３１、復調合成信号を平滑化するスムージング処理を行うａブランチスムージングフィルタ３２、および、スムージングされた復調合成信号を対数変換して得られる信号レベルと目標レベルとの差分情報を含む補償利得情報を生成するａブランチ対数変換手段３３を有している。
【００２３】
無線受信手段１０２は無線受信手段１０１と同様な処理を行うため、無線受信手段１０２についての説明を省略する。換言すれば、ａブランチＩＦ段ＡＧＣアンプ１１とｂブランチＩＦ段ＡＧＣアンプ２１、ａブランチＩＦ段ＡＤコンバータ１２とｂブランチＩＦ段ＡＤコンバータ２２、ａブランチデジタル直交復調／ナイキストフィルタ手段１３とｂブランチデジタル直交復調／ナイキストフィルタ手段２３、ＡＧＣ制御手段３０とＡＧＣ制御手段４０、ａブランチ復号手段５１とｂブランチ復号手段６１、および、ａブランチフレーム同期手段５２とｂブランチフレーム同期手段６２は、それぞれ同様の処理を行う。
【００２４】
また、ＡＧＣ制御手段４０はＡＧＣ制御手段３０と同様な処理を行うため、ＡＧＣ制御手段４０についての説明を省略する。換言すれば、ａブランチ電力変換処理手段３１とｂブランチ電力変換処理手段４１、ａブランチスムージングフィルタ３２とｂブランチスムージングフィルタ４２、および、ａブランチ対数変換手段３３とｂブランチ対数変換手段４３は、それぞれ同様の処理を行う。
【００２５】
ａブランチＩＦ段ＡＧＣアンプ１１は、アンテナ等によって受信されたアナログ信号ｓ３０１とａブランチ対数変換手段３３によって出力された補償利得情報ｓ３３３とを入力とし、入力された補償利得情報ｓ３３３に基づいて入力されたアナログ信号ｓ３０１を増幅し、増幅されたアナログ信号ｓ３１１をａブランチＩＦ段ＡＤコンバータ１２に出力する手段である。
【００２６】
ａブランチＩＦ段ＡＤコンバータ１２は、ａブランチＩＦ段ＡＧＣアンプ１１によって出力されたアナログ信号ｓ３１１を入力とし、入力されたアナログ信号ｓ３１１をサンプリングして多値のデジタル信号に量子化し、量子化された多値のデジタル信号ｓ３１２をａブランチデジタル直交復調／ナイキストフィルタ手段１３に出力する手段である。
【００２７】
ａブランチデジタル直交復調／ナイキストフィルタ手段１３は、ａブランチＩＦ段ＡＤコンバータ１２によって出力された多値のデジタル信号ｓ３１２を入力とし、入力された多値のデジタル信号ｓ３１２を２値のデジタルデータに変換して直交復調し、２値のデジタル信号であるＩ軸成分信号とＱ軸成分信号とを分離し、分離されたＩ軸成分信号とＱ軸成分信号とをナイキストフィルタ処理によってデータ間の帯域幅を狭め、帯域幅を狭めたＩ軸成分信号ｓ３１３とＱ軸成分信号ｓ３１４とをａブランチ電力変換処理手段３１およびａブランチ復号手段５１に出力する手段である。
【００２８】
ａブランチ電力変換処理手段３１は、ａブランチデジタル直交復調／ナイキストフィルタ手段１３によって出力されたＩ軸成分信号ｓ３１３とＱ軸成分信号ｓ３１４とを入力とし、入力されたＩ軸成分信号ｓ３１３とＱ軸成分信号ｓ３１４との信号成分の２乗和の平方根などの演算によって受信信号のレベルを示す信号である復調合成信号を生成し、生成した復調合成信号ｓ３３１をａブランチスムージングフィルタ３２に出力する手段である。
【００２９】
ａブランチスムージングフィルタ３２は、ａブランチ電力変換処理手段３１によって出力された復調合成信号ｓ３３１を入力とし、入力された復調合成信号ｓ３３１のノイズを除去するスムージング処理を行い、スムージングされた復調合成信号ｓ３３２をａブランチ対数変換手段３３に出力する手段である。
【００３０】
ａブランチ対数変換手段３３は、ａブランチスムージングフィルタ３２によって出力された復調合成信号ｓ３３２を入力とし、入力された復調合成信号ｓ３３２を対数変換して信号レベルを算出し、算出された信号レベルと予め定められた目標レベルとの差分情報である補償利得を含む補償利得情報を生成し、生成した補償利得情報ｓ３３３、ｓ３３４をａブランチＩＦ段ＡＧＣアンプ１１およびダイバシティ判定手段７０に出力する手段である。
【００３１】
ａブランチ復号手段５１は、ａブランチデジタル直交復調／ナイキストフィルタ手段１３によって出力されたＩ軸成分信号ｓ３１３とＱ軸成分信号ｓ３１４とを入力とし、入力されたＩ軸成分信号ｓ３１３とＱ軸成分信号ｓ３１４とに基づいて送信側で符号化した信号を復号すると共にクロックを生成し、復号された信号（以下、復号信号という。）ｓ３５１および生成したクロックをａブランチフレーム同期手段５２に出力する手段である。
【００３２】
ａブランチフレーム同期手段５２は、ａブランチ復号手段５１によって出力された復号信号ｓ３５１およびクロックを入力とし、入力されたクロックとおよび入力された復号信号に含まれるユニークワードから生成されるデータフレームとに基づいてａブランチ復号手段５１によって出力された復号信号ｓ３５１とｂブランチ復号手段６１によって出力された復号信号ｓ３６１とを同期させ、入力されたデータｓ３５１をベースバンド信号ｓ３５２としてブランチ切替手段８０に出力する手段である。
【００３３】
ダイバシティ判定手段７０は、無線受信手段１０１のａブランチ対数変換手段３３によって入力された補償利得情報ｓ３３４と、無線受信手段１０２のｂブランチ対数変換手段４３によって入力された補償利得情報ｓ３４４とを入力とし、入力された補償利得情報ｓ３３４、ｓ３４４に含まれる補償利得の絶対値が少ない方の補償利得情報を出力した無線受信手段１０１または無線受信手段１０２を示す情報を生成し、生成された無線受信手段１０１または無線受信手段１０２を示す情報ｓ３７０をブランチ切替手段８０に出力する手段である。
【００３４】
ここで、ダイバシティ判定手段７０は、入力された無線受信手段１０１のａブランチ対数変換手段３３によって入力された補償利得情報ｓ３３４と、無線受信手段１０２のｂブランチ対数変換手段４３によって入力された補償利得情報ｓ３４４とに含まれる補償利得の絶対値が同じ値を示す場合は、何も出力しない。この場合、ダイバシティ判定手段７０は、前回に出力した無線受信手段１０１または無線受信手段１０２を示す情報ｓ３７０をブランチ切替手段８０に出力するのでもよい。
【００３５】
ブランチ切替手段８０は、ダイバシティ判定手段７０によって入力された無線受信手段１０１または無線受信手段１０２を示す情報ｓ３７０と、無線受信手段１０１のａブランチフレーム同期手段５２によって出力されたデータｓ３５２と、無線受信手段１０２のｂブランチフレーム同期手段６２によって出力されたデータｓ３６２とを入力とし、入力された無線受信手段１０１または無線受信手段１０２を示す情報ｓ３７０に基づいて、入力された無線受信手段１０１のａブランチフレーム同期手段５２によって出力されたベースバンド信号ｓ３５２、または無線受信手段１０２のｂブランチフレーム同期手段６２によって出力されたベースバンド信号ｓ３６２を外部の装置に出力する手段である。
【００３６】
図２は、本発明の第１の実施の形態のダイバシティ切替方法における処理の流れを示すフローチャートである。
ステップＳ２１０で、無線受信手段１０１のａブランチ対数変換手段３３は、復調合成信号ｓ３３２を対数変換して信号レベルＶａを算出し、算出された信号レベルＶａと予め定められた目標レベルＶｔａとの差分の絶対値｜Ｖｔａ−Ｖａ｜を求める。
【００３７】
また、ステップＳ２１０で、無線受信手段１０２のｂブランチ対数変換手段４３は、復調合成信号を対数変換して信号レベルＶｂを算出し、算出された信号レベルＶｂと予め定められた目標レベルＶｔｂとの差分の絶対値の絶対値｜Ｖｔｂ−Ｖｂ｜を求める。
【００３８】
また、ステップＳ２１０で、ダイバシティ判定手段７０は、｜Ｖｔａ−Ｖａ｜と｜Ｖｔｂ−Ｖｂ｜とを比較し処理を分岐し、｜Ｖｔａ−Ｖａ｜が｜Ｖｔｂ−Ｖｂ｜より大きい場合は、処理はＳ２２１に移り、｜Ｖｔａ−Ｖａ｜と｜Ｖｔｂ−Ｖｂ｜とが等しい場合は、処理はステップＳ２２２に進み、｜Ｖｔａ−Ｖａ｜が｜Ｖｔｂ−Ｖｂ｜より小さい場合は、処理はＳ２２３に移る。
【００３９】
ステップＳ２２１で、ダイバシティ判定手段７０は、無線受信手段１０１から出力されたベースバンド信号ｓ３５２をブランチ切替手段８０によって出力される信号であるベースバンド信号ｓ３８０として選択する。
【００４０】
ステップＳ２２２で、ダイバシティ判定手段７０は、現在選択されている無線受信手段１０１から出力されたベースバンド信号ｓ３５２または無線受信手段１０２から出力されたベースバンド信号ｓ３６２をブランチ切替手段８０によって出力される信号であるベースバンド信号ｓ３８０として選択する。なお、ステップＳ２２２で、直前に選択されていたベースバンド信号を引き続き出力するのでも良い。
【００４１】
ステップＳ２２３で、ダイバシティ判定手段７０は、無線受信手段１０２によって出力されたベースバンド信号ｓ３６２をブランチ切替手段８０によって出力される信号であるベースバンド信号ｓ３８０として選択する。
【００４２】
ステップＳ２６０で、ブランチ切替手段８０は、ステップＳ２２１からステップＳ２２３までのいずれかのステップで選択されたベースバンド信号を出力信号ｓ３８０として外部の装置に出力する。
【００４３】
なお、上記では、ダイバシティ切替装置１００が２つの無線受信手段１０１、１０２を備えている例について説明したが、無線受信手段は２つに限られるものではなく、３以上の無線受信手段を備える場合にも同様な処理を行うことができる。その際の処理は、上記の説明から明らかであり、その説明を省略する。
【００４４】
以上説明したように、本発明の第１の実施の形態のダイバシティ切替装置は、目標レベルとＡＧＣ制御手段が検出した受信信号レベルとの差の絶対値に基づいてベースバンド信号を出力するアンテナ毎の無線受信手段を選択するため、デジタルＡＧＣのループ時定数に起因して劣化確率の高い無線受信手段をダイバシティ選択してしまうことがなく、ループ時定数に起因する影響を回避することが可能である。
【００４５】
以下、本発明の第２の実施の形態について、図面を用いて説明する。
本発明の第２の実施の形態のダイバシティ切替装置は、本発明の第１の実施の形態のダイバシティ切替装置１００と同様な構成を有するため、図１に示すダイバシティ切替装置１００を用いて説明する。なお、本発明の第２の実施の形態のダイバシティ切替装置は、無線受信手段を２、３、４、８等、複数有するものとする。
【００４６】
本発明の第２の実施の形態のダイバシティ切替装置は、ダイバシティ判定手段７０によって行われる、いずれの無線受信手段によって生成されたベースバンド信号を外部の装置に出力するかについての判定の判定方法が、本発明の第１の実施の形態のダイバシティ切替装置において行われる判定方法と相違する。以下では、本発明の第２の実施の形態のダイバシティ切替装置を構成する構成手段のうち、上記本発明の第１の実施の形態のダイバシティ切替装置１００における構成手段と同様の処理を行うものは、その説明を省略する。
【００４７】
ダイバシティ判定手段７０は、無線受信手段１０１のａブランチ対数変換手段３３によって入力された補償利得情報ｓ３３４と、無線受信手段１０２のｂブランチ対数変換手段４３によって入力された補償利得情報ｓ３４４とを入力とする。また、ダイバシティ判定手段７０には、補償利得の領域を複数のグループに分けた際の各グループが占める補償利得の範囲（以下、補償利得領域という。）に関する情報（以下、補償利得領域情報という。）が入力され、または保持する。なお、これらのグループには優先度が指定されているものとする。
【００４８】
ダイバシティ判定手段７０は、各無線受信手段によって入力された補償利得情報に含まれる補償利得と上記の補償利得領域情報に基づいて、補償利得情報を出力した無線受信手段を上記の各グループに対応付ける。そして、ダイバシティ判定手段７０は、上記の優先度が高い順番に１または複数のグループを候補グループとして選出し、候補グループに含まれる無線受信手段を対象にしてベースバンド信号を出力する無線受信手段を選択し、選択された無線受信手段を示す情報ｓ３７０をブランチ切替手段８０に出力する手段である。
【００４９】
ここで、図３は、補償利得領域と上記のグループとの対応付けの一例を示す説明図である。
図３において、ａブランチ対数変換手段３３によって生成された補償利得情報に含まれる補償利得が０を含む領域、すなわち、目標レベルを含む領域を補償利得領域とするグループを優先度１のグループ１とする。次に、グループ１を挟む領域を、優先度１に次ぐ優先度２のグループ２とする。ここで、グループ１及びグループ２は、エラーのない（以下、エラーフリーという。）領域を補償利得領域とするという制限を更に付加するのでも良い。グループ３は、グループ１及びグループ２以外の補償利得領域とし、グループ３の優先度は優先度２に次ぐ優先度３とする。
【００５０】
ダイバシティ判定手段７０は、入力された補償利得情報ｓ３３４および補償利得領域情報とに基づいて、補償利得情報ｓ３３４を出力した無線受信手段１０１を、優先度が指定された上記のグループに対応付ける。この動作を他の無線受信手段についても行う。以上のようにグループへの対応付けが完了した後、選択の対象のグループを候補グループとして選択する。
【００５１】
候補グループの選択は、例えば、グループ１に複数の無線受信手段が含まれる場合にグループ１のみを候補グループとして選択し、グループ１に１の無線受信手段が含まれるがグループ２にも無線受信手段が含まれる場合に、グループ１およびグループ２を候補グループとして選択する方法等によるものがある。ただし、候補グループの選択は、ベースバンド信号を出力する無線受信手段の選択候補を限定できるのであれば、他の方法によるものであっても良い。
【００５２】
ダイバシティ判定手段７０は、選択された候補グループに含まれる無線受信手段を示す情報ｓ３７０をブランチ切替手段８０に出力する。
【００５３】
ここで、候補グループに複数の無線受信手段が含まれている場合は、例えば、グループ１に１の無線受信手段が含まれるがグループ２にも無線受信手段が含まれる場合、グループ２に含まれる最も小さい補償利得に対応する無線受信手段（以下、候補無線受信手段という。）を抽出し、グループ１に含まれる無線受信手段と候補無線受信手段に対応する補償利得との差の絶対値が所定値以上のときに、グループ１に含まれる無線受信手段の方を選択し、それ以外の場合は、候補無線受信手段を選択するのでもよい。ここで、上記の補償利得の差の判定に用いる所定値は、６ｄＢとすることができるが、他の値でもよい。
【００５４】
さらに、グループ１に複数の無線受信手段が含まれる場合、グループ１に無線受信手段が含まれないがグループ２に複数の無線受信手段が含まれる場合は、または、グループ１に１の無線受信手段が含まれるがグループ２にも無線受信手段が含まれ、グループ１に含まれる無線受信手段と上記候補無線受信手段に対応する補償利得との差の絶対値が上記所定値未満の場合は、本発明の第１の実施の形態のダイバシティ切替装置１００と同様に最も小さい補償利得に対応する候補無線受信手段を選択するのでも良い。
【００５５】
図４は、本発明の第２の実施の形態のダイバシティ切替方法における処理の流れを示すフローチャートである。
ステップＳ４３０で、ダイバシティ判定手段７０は、補償利得領域情報と、無線受信手段１０１、１０２を含む各無線受信手段によって出力された補償利得情報とに基づき、各補償利得情報を出力した無線受信手段を上記の優先度が指定されたグループに対応付けし、１つまたは２つの候補グループを選択する。
【００５６】
ステップＳ４３１で、ダイバシティ判定手段７０は、上記補償利得情報とグループの優先度とに基づいて処理を分岐し、上記各候補グループがグループ１またはグループ２である場合、処理はステップＳ４３２に進み、１つの候補グループがグループ１またはグループ２であり、他にグループ１またはグループ２である候補グループがない場合、処理はステップ４３３に移り、上記補償利得の双方が同じグループに対応した場合は、処理はステップＳ４４０に移る。
【００５７】
ステップＳ４３２で、ダイバシティ判定手段７０は、上記２つの候補グループに含まれる無線受信手段の内、上記の候補無線受信手段を抽出し、各候補無線受信手段に対応する補償利得の差が６ｄＢ以上であるか否かを判断し、補償利得の差が６ｄＢ以上であると判断した場合は、処理はステップＳ４３４に移り、補償利得の差が６ｄＢ以上ないと判断した場合は、処理はＳ４４０に進む。
ここで、上記の補償利得の差の判定に用いる値は、６ｄＢとしたが、他の値でもよい。
【００５８】
ステップＳ４３３で、ダイバシティ判定手段７０は、グループ１またはグループ２である候補グループがグループ１であるかグループ２であるかを判断し、候補グループがグループ１であると判断した場合、処理はステップＳ４３４に進み、グループ２であると判断した場合は、処理はステップＳ４３５に移る。
【００５９】
ステップＳ４３４で、ダイバシティ判定手段７０は、グループ１に含まれる候補無線受信手段によって出力されたベースバンド信号ｓ３６１をブランチ切替手段８０によって出力される信号であるベースバンド信号ｓ３８０として選択する。
【００６０】
ステップＳ４３５で、ダイバシティ判定手段７０は、グループ２に含まれる候補無線受信手段によって出力されたベースバンド信号ｓ３６２をブランチ切替手段８０によって出力される信号であるベースバンド信号ｓ３８０として選択する。
【００６１】
ステップＳ４４０以降では、上記の候補グループは無線受信手段１０１または無線受信手段１０２として説明を行う。
ステップＳ４４０で、無線受信手段１０１のａブランチ対数変換手段３３は、復調合成信号ｓ３３２を対数変換して信号レベルＶａを算出し、算出された信号レベルＶａと予め定められた目標レベルＶｔａとの差分の絶対値｜Ｖｔａ−Ｖａ｜を求めると共に、無線受信手段１０２のｂブランチ対数変換手段４３は、復調合成信号ｓ３４２を対数変換して信号レベルＶｂを算出し、算出された信号レベルＶｂと予め定められた目標レベルＶｔｂとの差分の絶対値｜Ｖｔｂ−Ｖｂ｜を求める。
【００６２】
また、ステップＳ４４０で、ダイバシティ判定手段７０は、｜Ｖｔａ−Ｖａ｜と｜Ｖｔｂ−Ｖｂ｜とが等しいか否かを判断し、｜Ｖｔａ−Ｖａ｜と｜Ｖｔｂ−Ｖｂ｜が等しいと判断した場合、処理はステップＳ４５１に進み、｜Ｖｔａ−Ｖａ｜と｜Ｖｔｂ−Ｖｂ｜とが等しくないと判断した場合、処理はＳ４５２に移る。
【００６３】
ステップＳ４５１で、ダイバシティ判定手段７０は、現在選択されている無線受信手段１０１から出力されたベースバンド信号ｓ３５２または無線受信手段１０２から出力されたベースバンド信号ｓ３６２をブランチ切替手段８０によって出力される信号であるベースバンド信号ｓ３８０として選択する。
【００６４】
ステップＳ４５２で、ダイバシティ判定手段７０は、｜Ｖｔａ−Ｖａ｜および｜Ｖｔｂ−Ｖｂ｜のうち小さい値を示す補償利得を含む補償利得情報を出力した無線受信手段から出力されたベースバンド信号をブランチ切替手段８０によって出力される信号であるベースバンド信号ｓ３８０として選択する。
【００６５】
ステップＳ４６０で、ブランチ切替手段８０は、ステップＳ４３４、Ｓ４３５、Ｓ４５１またはＳ４５２のいずれかによって選択されたベースバンド信号を外部の装置に出力する。
【００６６】
以上説明したように、本発明の第２の実施の形態のダイバシティ切替装置は、アンテナ毎の無線受信手段に対する補償利得に応じてグループ分けを行って候補グループを選択するため、ダイバシティ切替において選択される候補としての無線受信手段を限定でき、効率の良い無線受信手段の選択が可能である。
【００６７】
以下、本発明の第３の実施の形態について、図面を用いて説明する。
本発明の第３の実施の形態のダイバシティ切替装置は、本発明の第１の実施の形態のダイバシティ切替装置１００と同様な構成を有するため、図１に示すダイバシティ切替装置１００を用いて説明する。
【００６８】
本発明の第３の実施の形態のダイバシティ切替装置は、ダイバシティ判定手段７０によって行われる、いずれの無線受信手段によって生成されたベースバンド信号を外部の装置に出力するかについての判定の判定方法が、本発明の第１の実施の形態のダイバシティ切替装置において行われる判定方法と相違する。以下では、本発明の第３の実施の形態のダイバシティ切替装置を構成する構成手段のうち、上記本発明の第１の実施の形態のダイバシティ切替装置１００における構成手段と同様の処理を行うものは、その説明を省略する。
【００６９】
ａブランチ対数変換手段３３は、ａブランチスムージングフィルタ３２によって出力された復調合成信号ｓ３３２を入力とし、入力された復調合成信号ｓ３３２を対数変換して信号レベルを算出し、算出された信号レベルと予め定められた目標レベルとの差分情報である補償利得を含む補償利得情報を生成し、生成した補償利得情報ｓ３３３をａブランチＩＦ段ＡＧＣアンプ１１に出力すると共に、上記算出された信号レベルｓ３３４をダイバシティ判定手段７０に出力する手段である。
【００７０】
ダイバシティ判定手段７０は、無線受信手段１０１のａブランチ対数変換手段３３によって出力された信号レベルｓ３３４と、無線受信手段１０２のｂブランチ対数変換手段４３によって出力された信号レベルｓ３４４とを入力とする。また、ダイバシティ判定手段７０は、信号レベルｓ３３４、ｓ３４４に基づいて、ａブランチフレーム同期手段５２によって出力されたベースバンド信号ｓ３５２およびｂブランチフレーム同期手段６２によって出力されたベースバンド信号ｓ３６２の各々がエラーフリーか否かを判断し、この判断に基づいてベースバンド信号を出力する無線受信手段を示す情報をブランチ切替手段８０に出力する手段である。
【００７１】
ダイバシティ判定手段７０は、ａブランチフレーム同期手段５２によって出力されたベースバンド信号ｓ３５２およびｂブランチフレーム同期手段６２によって出力されたベースバンド信号ｓ３６２のいずれか一方がエラーフリーであり、他方がエラーフリーでないと判断した場合、エラーフリーと判断されたベースバンド信号を出力する無線受信手段を示す情報をブランチ切替手段８０に出力する。
【００７２】
また、ダイバシティ判定手段７０は、ａブランチフレーム同期手段５２によって出力されたベースバンド信号ｓ３５２およびｂブランチフレーム同期手段６２によって出力されたベースバンド信号ｓ３６２のいずれもがエラーフリーでないと判断した場合、または、いずれもがエラーフリーであると判断した場合、信号レベルｓ３３４、ｓ３４４の時間変化を検出し、検出された時間変化の情報に基づいて、ベースバンド信号を出力する無線受信手段を示す情報をブランチ切替手段８０に出力する手段である。
【００７３】
ここで、上記の時間変化に関しては、例えば、所定の時間間隔で復調合成信号を過去ｎ回にわたって検出し、検出された信号レベルが時間方向に関して単調に減少しているとき、信号レベルは減少する時間変化をしているとする（以下、減少方向にあるという。）。同様に、検出された信号レベルが時間方向に関して単調に増大しているとき、復調合成信号は増大する時間変化をしているとする（以下、増加方向にあるという。）。上記の検出回数であるｎは、任意の正の整数であり、ｎの値は、ダイバシティ切り替えの制御間隔や使用される環境で想定される最も速いフェージング速度に応じて変化させる。
【００７４】
上記の検出回数であるｎの値の選択に関しては、例えば、数百μｓの時間間隔でダイバシティ切り替えを行う構成において、１０Ｈｚのドップラフェージングにダイバシティ切替装置が対応することを想定する場合、ｎの値として２から２０までの範囲で、特に５程度で良好な特性が得られる。
【００７５】
さらに、ダイバシティ判定手段７０は、入力された信号レベルｓ３３４、ｓ３４４の時間変化の情報が共に減少方向である場合または共に増加方向である場合は、ブランチ切替手段８０に何も出力しない。この場合、ダイバシティ判定手段７０は、直前に出力した無線受信手段１０１または無線受信手段１０２を示す情報ｓ３７０をブランチ切替手段８０に出力するのでもよい。
【００７６】
図５は、本発明の第３の実施の形態のダイバシティ切替方法における処理の流れを示すフローチャートである。
ステップＳ５４０で、ダイバシティ判定手段７０は、無線受信手段１０１のａブランチ対数変換手段３３によって出力された信号レベルｓ３３４、および無線受信手段１０２のｂブランチ対数変換手段４３によって出力された信号レベルｓ３４４に基づいて、ａブランチフレーム同期手段５２によって出力されたベースバンド信号ｓ３５２およびｂブランチフレーム同期手段６２によって出力されたベースバンド信号ｓ３６２の各々がエラーフリーか否かを判断する。
【００７７】
ステップＳ５４０でベースバンド信号ｓ３５２およびベースバンド信号ｓ３６２のいずれもがエラーフリーであると判断した場合、または、いずれもがエラーフリーでないと判断した場合、処理はステップＳ５５０に進み、いずれか一方がエラーフリーであり、他方がエラーフリーでないと判断した場合、処理はステップＳ５４１に移る。
【００７８】
ステップＳ５４１で、ダイバシティ判定手段７０は、エラーフリーであると判断されたベースバンド信号をブランチ切替手段８０によって出力される信号として選択する。したがって、例えば、無線受信手段１０２によって出力された信号レベルｓ３４４に基づいてベースバンド信号ｓ３６２がエラーフリーと判断され、無線受信手段１０１によって出力された信号レベルｓ３３４に基づいてベースバンド信号ｓ３５２がエラーフリーでないと判断された場合は、無線受信手段１０２によって出力されたベースバンド信号ｓ３６２を、ブランチ切替手段８０によって出力される信号として選択する。
【００７９】
ステップＳ５４０でベースバンド信号ｓ３５２およびベースバンド信号ｓ３６２のいずれもがエラーフリーであると判断した場合、または、いずれもがエラーフリーでないと判断した場合、ステップＳ５５０で、ダイバシティ判定手段７０は、上記双方の信号レベルの時間変化の情報に基づいて処理を分岐し、上記双方の信号レベルが共に減少方向である場合または共に増加方向である場合は、処理はステップＳ５５２に進み、上記双方の信号レベルのうちいずれか一方が減少方向である場合は、処理はステップＳ５５３に移る。
【００８０】
ここで、上記の時間変化に関しては、例えば、所定の時間間隔で信号レベルを過去ｎ回にわたって検出し、検出された信号レベルが時間方向に関して単調に減少しているとき、信号レベルは減少する時間変化をしているとする。なお、図５には、ｎを５として検出した場合を例にして示されている。
【００８１】
ステップＳ５５２で、ダイバシティ判定手段７０は、現在選択されている無線受信手段１０１または無線受信手段１０２から出力されたベースバンド信号をブランチ切替手段８０によって出力される信号として選択する。
【００８２】
ステップＳ５５３で、ダイバシティ判定手段７０は、ステップＳ５５０で信号レベルの時間変化が減少方向であるとされた信号レベルを出力した無線受信手段によって出力されたベースバンド信号をブランチ切替手段８０によって出力される信号として選択する。
【００８３】
ステップＳ５６０で、ブランチ切替手段８０は、ステップＳ５４１、Ｓ５５２、およびステップＳ５５３のいずれかによって選択されたベースバンド信号を出力信号ｓ３８０として外部の装置に出力する。
【００８４】
なお、上記では、ダイバシティ切替装置が２つの無線受信手段１０１、１０２を備えている例について説明したが、無線受信手段は２つに限られるものではなく、３以上の無線受信手段を備える場合にも同様な処理を行うことができる。その際の処理は、上記の説明から明らかであり、その説明を省略する。
【００８５】
以上説明したように、本発明の第３の実施の形態のダイバシティ切替装置は、アンテナ毎の無線受信手段に受信された信号のレベルである信号レベルの時間変化に基づいて無線受信手段を選択するため、劣化確率の高い無線受信手段を検出し、劣化確率の高いと検出された無線受信手段を除いたダイバシティ選択が可能である。
【００８６】
以下、本発明の第４の実施の形態について、図面を用いて説明する。
本発明の第４の実施の形態のダイバシティ切替装置は、本発明の第１の実施の形態のダイバシティ切替装置１００と同様な構成を有するため、図１に示すダイバシティ切替装置１００を用いて説明する。なお、本発明の第４の実施の形態のダイバシティ切替装置は、無線受信手段を２、３、４、８等、複数有するものとする。
【００８７】
本発明の第４の実施の形態のダイバシティ切替装置は、ダイバシティ判定手段７０によって行われる、いずれの無線受信手段によって生成されたベースバンド信号を外部の装置に出力するかについての判定の判定方法が、本発明の第１の実施の形態のダイバシティ切替装置において行われる判定方法と相違する。以下では、本発明の第４の実施の形態のダイバシティ切替装置を構成する構成手段のうち、上記本発明の第１の実施の形態のダイバシティ切替装置１００における構成手段と同様の処理を行うものは、その説明を省略する。
【００８８】
ａブランチ対数変換手段３３は、ａブランチスムージングフィルタ３２によって出力された復調合成信号ｓ３３２を入力とし、入力された復調合成信号ｓ３３２を対数変換して信号レベルを算出し、算出された信号レベルと予め定められた目標レベルとの差分情報である補償利得を含む補償利得情報を生成し、生成した補償利得情報ｓ３３３をａブランチＩＦ段ＡＧＣアンプ１１に出力すると共に、上記算出された信号レベルと生成した補償利得情報とをダイバシティ判定手段７０に出力する手段である。
【００８９】
ダイバシティ判定手段７０は、無線受信手段１０１のａブランチ対数変換手段３３によって入力された補償利得情報および信号レベルと、無線受信手段１０２のｂブランチ対数変換手段４３によって入力された補償利得情報および信号レベルとを入力とする。また、ダイバシティ判定手段７０には、補償利得の領域を複数のグループに分けた際の各グループが占める補償利得の範囲（以下、補償利得領域という。）に関する情報（以下、補償利得領域情報という。）が入力され、または保持する。なお、これらのグループには優先度が指定されているものとする。
【００９０】
ダイバシティ判定手段７０は、各無線受信手段によって入力された補償利得情報に含まれる補償利得と上記の補償利得領域情報に基づいて、補償利得情報を出力した無線受信手段を上記の各グループに対応付ける。そして、ダイバシティ判定手段７０は、上記の優先度が高い順番に１または複数のグループを候補グループとして選出し、候補グループに含まれる無線受信手段を対象にしてベースバンド信号を出力する無線受信手段を選択し、選択された無線受信手段を示す情報ｓ３７０をブランチ切替手段８０に出力する手段である。
【００９１】
ここで、図３は、補償利得領域と上記のグループとの対応付けの一例を示す説明図である。
図３において、ａブランチ対数変換手段３３によって生成された補償利得情報に含まれる補償利得が０を含む領域、すなわち、目標レベルを含む領域を補償利得領域とするグループを優先度１のグループ１とする。次に、グループ１を挟む領域を、優先度１に次ぐ優先度２のグループ２とする。ここで、グループ１及びグループ２は、エラーのない（以下、エラーフリーという。）領域を補償利得領域とするという制限を更に付加するのでも良い。グループ３は、グループ１及びグループ２以外の補償利得領域とし、グループ３の優先度は優先度２に次ぐ優先度３とする。
【００９２】
ダイバシティ判定手段７０は、入力された補償利得情報ｓ３３４および補償利得領域情報とに基づいて、補償利得情報ｓ３３４を出力した無線受信手段１０１を、優先度が指定された上記のグループに対応付ける。この動作を他の無線受信手段についても行う。以上のようにグループへの対応付けが完了した後、選択の対象のグループを候補グループとして選択する。
【００９３】
候補グループの選択は、例えば、グループ１に複数の無線受信手段が含まれる場合にグループ１のみを候補グループとして選択し、グループ１に１の無線受信手段が含まれるがグループ２にも無線受信手段が含まれる場合に、グループ１およびグループ２を候補グループとして選択する方法等によるものがある。ただし、候補グループの選択は、ベースバンド信号を出力する無線受信手段の選択候補を限定できるのであれば、他の方法によるものであっても良い。
【００９４】
ダイバシティ判定手段７０は、選択された候補グループに含まれる無線受信手段を示す情報ｓ３７０をブランチ切替手段８０に出力する。
【００９５】
ここで、候補グループに複数の無線受信手段が含まれている場合は、例えば、グループ１に１の無線受信手段が含まれるがグループ２にも無線受信手段が含まれる場合、グループ２に含まれる最も小さい補償利得に対応する無線受信手段（以下、候補無線受信手段という。）を抽出し、グループ１に含まれる無線受信手段と候補無線受信手段に対応する補償利得との差の絶対値が所定値以上のときに、グループ１に含まれる無線受信手段の方を選択し、それ以外の場合は、候補無線受信手段を選択するのでもよい。ここで、上記の補償利得の差の判定に用いる所定値は、６ｄＢとすることができるが、他の値でもよい。
【００９６】
さらに、グループ１に複数の無線受信手段が含まれる場合、グループ１に無線受信手段が含まれないがグループ２に複数の無線受信手段が含まれる場合は、または、グループ１に１の無線受信手段が含まれるがグループ２にも無線受信手段が含まれ、グループ１に含まれる無線受信手段と上記候補無線受信手段に対応する補償利得との差の絶対値が上記所定値未満の場合は、上記双方の信号レベルの時間変化の情報に基づいて、減少方向である信号レベルを含む補償利得情報を出力した無線受信手段１０１または無線受信手段１０２を示す情報を生成し、生成された無線受信手段１０１または無線受信手段１０２を示す情報ｓ３７０をブランチ切替手段８０に出力する。
【００９７】
ここで、上記の時間変化の情報は、例えば、所定の時間間隔で信号レベルを過去ｎ回にわたって検出し、検出された信号レベルが時間方向に関して単調に減少しているとき、信号レベルは減少する時間変化をしているとする。
なお、上記の検出回数であるｎについての説明は、本発明の第３の実施の形態において記載されているため、その説明を省略する。
【００９８】
ここで、ダイバシティ判定手段７０は、上記信号レベルの時間変化の情報が共に減少方向である場合または共に増加方向である場合は、何も出力しない。この場合、ダイバシティ判定手段７０は、前回に出力した無線受信手段１０１または無線受信手段１０２を示す情報ｓ３７０をブランチ切替手段８０に出力するのでもよい。
【００９９】
図６は、本発明の第４の実施の形態のダイバシティ切替方法における処理の流れを示すフローチャートである。
ステップＳ６３０で、ダイバシティ判定手段７０は、補償利得領域情報と、無線受信手段１０１、１０２を含む各無線受信手段によって出力された補償利得情報とに基づき、各補償利得情報を出力した無線受信手段を上記の優先度が指定されたグループに対応付けし、１つまたは２つの候補グループを選択する。
以下、処理の流れを、図３に示された補償利得とグループとの対応例を用いて説明する。
【０１００】
ステップＳ６３１で、ダイバシティ判定手段７０は、上記補償利得情報とグループとの対応に基づいて処理を分岐し、上記各候補グループがグループ１またはグループ２である場合、処理はステップＳ６３２に進み、１つの候補グループがグループ１またはグループ２であり、他にグループ１またはグループ２である候補グループがない場合、処理はステップＳ６３３に移り、上記補償利得の双方が同じグループに対応した場合は、処理はステップＳ６４１に移る。
【０１０１】
ステップＳ６３２で、ダイバシティ判定手段７０は、上記２つの候補グループに含まれる無線受信手段の内、上記の候補無線受信手段を抽出し、各候補無線受信手段に対応する補償利得の差が６ｄＢ以上であるか否かを判断し、補償利得の差が６ｄＢ以上であると判断した場合は、処理はステップＳ６３４に移り、補償利得の差が６ｄＢ以上ないと判断した場合は、処理はＳ６４１に進む。
ここで、上記の補償利得の差の判定に用いる値は、６ｄＢとしたが、他の値でもよい。
【０１０２】
ステップＳ６３３で、ダイバシティ判定手段７０は、グループ１またはグループ２である候補グループがグループ１であるかグループ２であるかを判断し、候補グループがグループ１であると判断した場合、処理はステップＳ６３４に進み、グループ２であると判断した場合は、処理はステップＳ６３５に移る。
【０１０３】
ステップＳ６３４で、ダイバシティ判定手段７０は、グループ１に含まれる候補無線受信手段によって出力されたベースバンド信号ｓ３６１をブランチ切替手段８０によって出力される信号であるベースバンド信号ｓ３８０として選択する。
【０１０４】
ステップＳ６３５で、ダイバシティ判定手段７０は、グループ２に含まれる候補無線受信手段によって出力されたベースバンド信号ｓ３６２をブランチ切替手段８０によって出力される信号であるベースバンド信号ｓ３８０として選択する。
【０１０５】
ステップＳ６４１以降では、上記の候補グループは無線受信手段１０１または無線受信手段１０２として説明を行う。
ステップＳ６４１で、ダイバシティ判定手段７０は、ベースバンド信号ｓ３５２とベースバンド信号ｓ３６２との信号レベルの時間変化の情報に基づいて処理を分岐し、上記双方の補償利得が共に減少方向である場合または共に増加方向である場合は、処理はステップＳ６５２に進み、上記双方の補償利得のうちいずれか一方が減少方向である場合は、処理はステップＳ６５３に移る。
【０１０６】
ここで、上記の時間変化の情報は、例えば、所定の時間間隔で補償利得を過去ｎ回にわたって検出し、検出された信号レベルが時間方向に関して単調に減少しているとき、信号レベルは減少する時間変化をしているとする。なお、図６では、ｎを５として検出した場合を例にして示されている。
【０１０７】
ステップＳ６５２で、ダイバシティ判定手段７０は、現在選択されている無線受信手段１０１または無線受信手段１０２から出力されたベースバンド信号ｓ３６２をブランチ切替手段８０における出力信号であるベースバンド信号ｓ３８０として選択する。
【０１０８】
ステップＳ６５３で、ダイバシティ判定手段７０は、ステップＳ６４１で信号レベルの時間変化が減少方向であるとされた信号レベルを出力した無線受信手段によって出力されたベースバンド信号をブランチ切替手段８０によって出力される信号として選択する。
【０１０９】
ステップＳ６６０で、ブランチ切替手段８０は、ステップＳ６３４、Ｓ６３５、Ｓ６５２、およびＳ６５３のいずれかによって選択されたベースバンド信号を出力信号ｓ３８０として外部の装置に出力する。
【０１１０】
以上説明したように、本発明の第４の実施の形態のダイバシティ切替装置は、アンテナ毎の無線受信手段に対する補償利得に応じてグループ分けを行って候補グループを選択するため、ダイバシティ切替において選択される候補としての無線受信手段を限定でるため、ダイバシティ切替において選択される候補としての無線受信手段を予め予測して限定でき、効率の良い無線受信手段の選択が可能である。また、アンテナ毎の無線受信手段に受信された信号のレベルである信号レベルの時間変化に基づいて無線受信手段を選択するため、劣化確率の高い無線受信手段を検出し、劣化確率の高いと検出された無線受信手段を除いたダイバシティ選択が可能である。
【０１１１】
以下、本発明の第５の実施の形態について、図面を用いて説明する。
本発明の第５の実施の形態のダイバシティ切替装置は、本発明の第１の実施の形態のダイバシティ切替装置１００と同様な構成を有するため、図１に示すダイバシティ切替装置１００を用いて説明する。なお、本発明の第５の実施の形態のダイバシティ切替装置は、無線受信手段を２、３、４、８等、複数有するものとする。
【０１１２】
本発明の第５の実施の形態のダイバシティ切替装置は、ダイバシティ判定手段７０によって行われる、いずれの無線受信手段によって生成されたベースバンド信号を外部の装置に出力するかについての判定の判定方法が、本発明の第１の実施の形態のダイバシティ切替装置において行われる判定方法と相違する。以下では、本発明の第５の実施の形態のダイバシティ切替装置を構成する構成手段のうち、上記本発明の第１の実施の形態のダイバシティ切替装置１００における構成手段と同様の処理を行うものは、その説明を省略する。
【０１１３】
ａブランチ対数変換手段３３は、ａブランチスムージングフィルタ３２によって出力された復調合成信号ｓ３３２を入力とし、入力された復調合成信号ｓ３３２を対数変換して信号レベルを算出し、算出された信号レベルと予め定められた目標レベルとの差分情報である補償利得を含む補償利得情報を生成し、生成した補償利得情報ｓ３３３をａブランチＩＦ段ＡＧＣアンプ１１に出力すると共に、上記算出された信号レベルと生成した補償利得情報とをダイバシティ判定手段７０に出力する手段である。
【０１１４】
ダイバシティ判定手段７０は、無線受信手段１０１のａブランチ対数変換手段３３によって入力された補償利得情報および信号レベルと、無線受信手段１０２のｂブランチ対数変換手段４３によって入力された補償利得情報および信号レベルとを入力とする。また、ダイバシティ判定手段７０には、補償利得の領域を複数のグループに分けた際の各グループが占める補償利得の範囲（以下、補償利得領域という。）に関する情報（以下、補償利得領域情報という。）が入力され、または保持する。なお、これらのグループには優先度が指定されているものとする。
【０１１５】
ダイバシティ判定手段７０は、各無線受信手段によって入力された補償利得情報に含まれる補償利得と上記の補償利得領域情報に基づいて、補償利得情報を出力した無線受信手段を上記の各グループに対応付ける。そして、ダイバシティ判定手段７０は、上記の優先度が高い順番に１または複数のグループを候補グループとして選出し、候補グループに含まれる無線受信手段を対象にしてベースバンド信号を出力する無線受信手段を選択し、選択された無線受信手段を示す情報ｓ３７０をブランチ切替手段８０に出力する手段である。
【０１１６】
ここで、図３は、補償利得領域と上記のグループとの対応付けの一例を示す説明図である。
図３において、ａブランチ対数変換手段３３によって生成された補償利得情報に含まれる補償利得が０を含む領域、すなわち、目標レベルを含む領域を補償利得領域とするグループを優先度１のグループ１とする。次に、グループ１を挟む領域を、優先度１に次ぐ優先度２のグループ２とする。ここで、グループ１及びグループ２は、エラーのない（以下、エラーフリーという。）領域を補償利得領域とするという制限を更に付加するのでも良い。グループ３は、グループ１及びグループ２以外の補償利得領域とし、グループ３の優先度は優先度２に次ぐ優先度３とする。
【０１１７】
ダイバシティ判定手段７０は、入力された補償利得情報ｓ３３４および補償利得領域情報とに基づいて、補償利得情報ｓ３３４を出力した無線受信手段１０１を、優先度が指定された上記のグループに対応付ける。この動作を他の無線受信手段についても行う。以上のようにグループへの対応付けが完了した後、選択の対象のグループを候補グループとして選択する。
【０１１８】
候補グループの選択は、例えば、グループ１に複数の無線受信手段が含まれる場合にグループ１のみを候補グループとして選択し、グループ１に１の無線受信手段が含まれるがグループ２にも無線受信手段が含まれる場合に、グループ１およびグループ２を候補グループとして選択する方法等によるものがある。ただし、候補グループの選択は、ベースバンド信号を出力する無線受信手段の選択候補を限定できるのであれば、他の方法によるものであっても良い。
【０１１９】
ダイバシティ判定手段７０は、選択された候補グループに含まれる無線受信手段を示す情報ｓ３７０をブランチ切替手段８０に出力する。
【０１２０】
ここで、候補グループに複数の無線受信手段が含まれている場合は、例えば、グループ１に１の無線受信手段が含まれるがグループ２にも無線受信手段が含まれる場合、グループ２に含まれる最も小さい補償利得に対応する無線受信手段（以下、候補無線受信手段という。）を抽出し、グループ１に含まれる無線受信手段と候補無線受信手段に対応する補償利得との差の絶対値が所定値以上のときに、グループ１に含まれる無線受信手段の方を選択し、それ以外の場合は、候補無線受信手段を選択するのでもよい。ここで、上記の補償利得の差の判定に用いる所定値は、６ｄＢとすることができるが、他の値でもよい。
【０１２１】
さらに、グループ１に複数の無線受信手段が含まれる場合、グループ１に無線受信手段が含まれないがグループ２に複数の無線受信手段が含まれる場合は、または、グループ１に１の無線受信手段が含まれるがグループ２にも無線受信手段が含まれ、グループ１に含まれる無線受信手段と上記候補無線受信手段に対応する補償利得との差の絶対値が上記所定値未満の場合は、上記双方の信号レベルの時間変化の情報に基づいて、減少方向である信号レベルを含む補償利得情報を出力した無線受信手段１０１または無線受信手段１０２を示す情報を生成し、生成された無線受信手段１０１または無線受信手段１０２を示す情報ｓ３７０をブランチ切替手段８０に出力する。
【０１２２】
ここで、上記の時間変化の情報は、例えば、所定の時間間隔で信号レベルを過去ｎ回にわたって検出し、検出された信号レベルが時間方向に関して単調に減少しているとき、信号レベルは減少する時間変化をしているとする。
なお、上記の検出回数であるｎについての説明は、本発明の第３の実施の形態において記載されているため、その説明を省略する。
【０１２３】
ここで、ダイバシティ判定手段７０は、上記信号レベルの時間変化の情報が共に減少方向である場合または共に増加方向である場合は、本発明の第１の実施の形態のダイバシティ切替装置１００と同様に最も小さい補償利得に対応する候補無線受信手段を選択するのでも良い。
【０１２４】
図７は、本発明の第５の実施の形態のダイバシティ切替方法における処理の流れを示すフローチャートである。
ステップＳ７３０で、ダイバシティ判定手段７０は、補償利得領域情報と、無線受信手段１０１、１０２を含む各無線受信手段によって出力された補償利得情報とに基づき、各補償利得情報を出力した無線受信手段を上記の優先度が指定されたグループに対応付けし、１つまたは２つの候補グループを選択する。
以下、処理の流れを、図３に示された補償利得とグループとの対応例を用いて説明する。
【０１２５】
ステップＳ７３１で、ダイバシティ判定手段７０は、上記補償利得情報とグループとの対応に基づいて処理を分岐し、上記各候補グループがグループ１またはグループ２である場合、処理はステップＳ７３２に進み、１つの候補グループがグループ１またはグループ２であり、他にグループ１またはグループ２である候補グループがない場合、処理はステップＳ７３３に移り、上記補償利得の双方が同じグループに対応した場合は、処理はステップＳ７４１に移る。
【０１２６】
ステップＳ７３２で、ダイバシティ判定手段７０は、上記２つの候補グループに含まれる無線受信手段の内、上記の候補無線受信手段を抽出し、各候補無線受信手段に対応する補償利得の差が６ｄＢ以上であるか否かを判断し、補償利得の差が６ｄＢ以上であると判断した場合は、処理はステップＳ７３４に移り、補償利得の差が６ｄＢ以上ないと判断した場合は、処理はＳ７４１に進む。
ここで、上記の補償利得の差の判定に用いる値は、６ｄＢとしたが、他の値でもよい。
【０１２７】
ステップＳ７３３で、ダイバシティ判定手段７０は、グループ１またはグループ２である候補グループがグループ１であるかグループ２であるかを判断し、候補グループがグループ１であると判断した場合、処理はステップＳ７３４に進み、グループ２であると判断した場合は、処理はステップＳ７３５に移る。
【０１２８】
ステップＳ７３４で、ダイバシティ判定手段７０は、グループ１に含まれる候補無線受信手段によって出力されたベースバンド信号ｓ３６１をブランチ切替手段８０によって出力される信号であるベースバンド信号ｓ３８０として選択する。
【０１２９】
ステップＳ７３５で、ダイバシティ判定手段７０は、グループ２に含まれる候補無線受信手段によって出力されたベースバンド信号ｓ３６２をブランチ切替手段８０によって出力される信号であるベースバンド信号ｓ３８０として選択する。
【０１３０】
ステップＳ７４１以降では、上記の候補グループは無線受信手段１０１または無線受信手段１０２として説明を行う。
ステップＳ７４１で、ダイバシティ判定手段７０は、ベースバンド信号ｓ３５２とベースバンド信号ｓ３６２との信号レベルの時間変化の情報に基づいて処理を分岐し、上記双方の信号レベルが共に減少方向である場合または共に増加方向である場合は、処理はステップＳ７５１に進み、上記双方の信号レベルのうちいずれか一方が減少方向である場合は、処理はステップＳ７４２に移る。
【０１３１】
ここで、上記の時間変化の情報は、例えば、所定の時間間隔で信号レベルを過去ｎ回にわたって検出し、検出された信号レベルが時間方向に関して単調に減少しているとき、信号レベルは減少する時間変化をしているとする。なお、図７では、ｎを５として検出した場合を例にして示されている。
【０１３２】
ステップＳ７４２で、ダイバシティ判定手段７０は、ステップＳ７４１で信号レベルの時間変化が減少方向であるとされた信号レベルを出力した無線受信手段によって出力されたベースバンド信号をブランチ切替手段８０によって出力される信号として選択する。
【０１３３】
ステップＳ７５１で、無線受信手段１０１のａブランチ対数変換手段３３は、復調合成信号ｓ３３２を対数変換して信号レベルＶａを算出し、算出された信号レベルＶａと予め定められた目標レベルＶｔａとの差分の絶対値｜Ｖｔａ−Ｖａ｜を求めると共に、無線受信手段１０２のｂブランチ対数変換手段４３は、復調合成信号ｓ３４２を対数変換して信号レベルＶｂを算出し、算出された信号レベルＶｂと予め定められた目標レベルＶｔｂとの差分の絶対値｜Ｖｔｂ−Ｖｂ｜を求める。
【０１３４】
また、ステップＳ７５１で、ダイバシティ判定手段７０は、｜Ｖｔａ−Ｖａ｜と｜Ｖｔｂ−Ｖｂ｜とが等しいか否かを判断し、｜Ｖｔａ−Ｖａ｜と｜Ｖｔｂ−Ｖｂ｜が等しいと判断した場合、処理はステップＳ７５２に進み、｜Ｖｔａ−Ｖａ｜と｜Ｖｔｂ−Ｖｂ｜とが等しくないと判断した場合、処理はＳ７５３に移る。
【０１３５】
ステップＳ７５２で、ダイバシティ判定手段７０は、現在選択されている無線受信手段１０１から出力されたベースバンド信号ｓ３５２または無線受信手段１０２から出力されたベースバンド信号ｓ３６２をブランチ切替手段８０によって出力される信号であるベースバンド信号ｓ３８０として選択する。
【０１３６】
ステップＳ７５３で、ダイバシティ判定手段７０は、｜Ｖｔａ−Ｖａ｜および｜Ｖｔｂ−Ｖｂ｜のうち小さい値を示す補償利得を含む補償利得情報を出力した無線受信手段から出力されたベースバンド信号をブランチ切替手段８０によって出力される信号であるベースバンド信号ｓ３８０として選択する。
【０１３７】
ステップＳ７６０で、ブランチ切替手段８０は、ステップＳ７３４、Ｓ７３５、Ｓ７５２またはＳ７５３のいずれかによって選択されたベースバンド信号を外部の装置に出力する。
【０１３８】
以上説明したように、本発明の第４の実施の形態のダイバシティ切替装置は、アンテナ毎の無線受信手段に対する補償利得に応じてグループ分けを行って候補グループを選択するため、ダイバシティ切替において選択される候補としての無線受信手段を限定でるため、ダイバシティ切替において選択される候補としての無線受信手段を予め予測して限定でき、効率の良い無線受信手段の選択が可能である。また、アンテナ毎の無線受信手段に受信された信号のレベルである信号レベルの時間変化に基づいて無線受信手段を選択するため、劣化確率の高い無線受信手段を検出し、劣化確率の高いと検出された無線受信手段を除いたダイバシティ選択が可能である。また、目標レベルとＡＧＣ制御手段が検出した受信信号レベルとの差の絶対値に基づいてベースバンド信号を出力するアンテナ毎の無線受信手段を選択するため、デジタルＡＧＣのループ時定数に起因して劣化確率の高い無線受信手段をダイバシティ選択してしまうことがなく、ループ時定数に起因する影響を回避することが可能である。
【０１３９】
図８は、本発明の第６の実施の形態のダイバシティ切替装置８００のブロック構成を示す図である。
ダイバシティ切替装置８００は、アナログ信号を無線で受信し、受信した受信信号のレベルを所定の目標レベルに設定するアンテナ毎の無線受信手段１０１、１０２、各無線受信手段によって復号されたベースバンド信号の誤り検出と誤り訂正を行うａブランチ誤り検出手段８９１、ｂブランチ誤り検出手段８９２、各無線受信手段によって受信された受信信号の信号レベルの情報と各無線受信手段によって出力されたベースバンド信号の誤りの有無の情報に基づいて無線受信手段を選択するダイバシティ判定手段８７０、および、ダイバシティ判定手段８７０によって選択された無線受信手段によって得られたベースバンド信号を外部の装置に出力するブランチ切替手段８８０を備えている。
なお、本発明の第６の実施の形態のダイバシティ切替装置は、無線受信手段を２、３、４、８等、複数有するものとする。
【０１４０】
なお、ダイバシティ判定手段８７０とブランチ切替手段８８０とによってブランチ判定切替手段が構成されている。また、以下では、各ブランチ対数変換手段によってダイバシティ判定手段８７０に出力される情報には、補償利得情報以外に、スムージング処理後の復調合成信号の信号レベルについての情報も含まれるものとする。
【０１４１】
本発明の第６の実施の形態のダイバシティ切替装置８００を構成する構成手段のうち、本発明の第５の実施の形態のダイバシティ切替装置を構成する構成手段と同様の処理を行うものについては、同一の符号を付し、その説明を省略する。
また、ｂブランチ誤り検出手段８９２は、ａブランチ誤り検出手段８９１と同様の処理を行うため、その説明を省略する。
【０１４２】
ａブランチ誤り検出手段８９１は、無線受信手段１０１によって出力されたベースバンド信号ｓ３５２を入力とし、入力されたベースバンド信号ｓ３５２の誤り率を検出し、検出された誤り率を示す信号ｓ３９１を生成して、生成された誤り率を示す信号ｓ３９１をダイバシティ判定手段８７０に出力するための手段である。
【０１４３】
また、ａブランチ誤り検出手段８９１は、検出されたベースバンド信号ｓ３５２の誤り率に応じて、ベースバンド信号ｓ３５２の誤り訂正を行う。なお、誤り検出および誤り訂正は、ＣＲＣチェック、またはブロック符号化誤り訂正などの方式があるが、これらは全て送信側で予め設定された規則に則って行われる。
また、ａブランチ誤り検出手段８９１は、誤り訂正後のベースバンド信号ｓ３９３をブランチ切替手段８８０に出力する。
【０１４４】
ダイバシティ判定手段８７０は、ａブランチ誤り検出手段８９１およびｂブランチ誤り検出手段８９２によって出力された誤り率を示す信号ｓ３９１、ｓ３９２を入力として、入力された誤り率を示す信号ｓ３９１、ｓ３９２に応じて誤り発生状況を判定する手段である。また、ダイバシティ判定手段８７０は、誤り発生状況の判定の結果、片方の無線受信手段で誤りが発生している場合に、誤りが発生していない無線受信手段を示す情報を生成し、生成した誤りが発生していない無線受信手段を示す情報をブランチ切替手段８８０に出力する。
【０１４５】
また、ダイバシティ判定手段８７０は、誤り発生状況の判定の結果、双方の無線受信手段で誤りが発生している判断した場合、または、双方の無線受信手段で誤りが発生していないと判断した場合に、無線受信手段１０１のａ対数変換手段３３によって入力された補償利得情報および信号レベルと、無線受信手段１０２のｂ対数変換手段４３によって入力された補償利得情報および信号レベルとを入力とする。また、ダイバシティ判定手段８７０には、補償利得の領域を複数のグループに分けた際の各グループが占める補償利得の範囲（以下、補償利得領域という。）に関する情報（以下、補償利得領域情報という。）が入力され、または保持する。なお、これらのグループには優先度が指定されているものとする。
【０１４６】
ダイバシティ判定手段８７０は、各無線受信手段によって入力された補償利得情報に含まれる補償利得と上記の補償利得領域情報に基づいて、補償利得情報を出力した無線受信手段を上記の各グループに対応付ける。そして、ダイバシティ判定手段８７０は、上記の優先度が高い順番に１または複数のグループを候補グループとして選出し、候補グループに含まれる無線受信手段を対象にしてベースバンド信号を出力する無線受信手段を選択し、選択された無線受信手段を示す情報ｓ３７０をブランチ切替手段８８０に出力する手段である。
【０１４７】
ここで、図３は、補償利得領域と上記のグループとの対応付けの一例を示す説明図である。
図３において、ａ対数変換手段３３によって生成された補償利得情報に含まれる補償利得が０を含む領域、すなわち、目標レベルを含む領域を補償利得領域とするグループを優先度１のグループ１とする。次に、グループ１を挟む領域を、優先度１に次ぐ優先度２のグループ２とする。ここで、グループ１及びグループ２は、エラーのない（以下、エラーフリーという。）領域を補償利得領域とするという制限を更に付加するのでも良い。グループ３は、グループ１及びグループ２以外の補償利得領域とし、グループ３の優先度は優先度２に次ぐ優先度３とする。
【０１４８】
ダイバシティ判定手段８７０は、入力された補償利得情報ｓ３３４および補償利得領域情報とに基づいて、補償利得情報ｓ３３４を出力した無線受信手段１０１を、優先度が指定された上記のグループに対応付ける。この動作を他の無線受信手段についても行う。以上のようにグループへの対応付けが完了した後、選択の対象のグループを候補グループとして選択する。
【０１４９】
候補グループの選択は、例えば、グループ１に複数の無線受信手段が含まれる場合にグループ１のみを候補グループとして選択し、グループ１に１の無線受信手段が含まれるがグループ２にも無線受信手段が含まれる場合に、グループ１およびグループ２を候補グループとして選択する方法等によるものがある。ただし、候補グループの選択は、ベースバンド信号を出力する無線受信手段の選択候補を限定できるのであれば、他の方法によるものであっても良い。
【０１５０】
ダイバシティ判定手段８７０は、選択された候補グループに含まれる無線受信手段を示す情報ｓ３７０をブランチ切替手段８８０に出力する。
【０１５１】
ここで、候補グループに複数の無線受信手段が含まれている場合は、例えば、グループ１に１の無線受信手段が含まれるがグループ２にも無線受信手段が含まれる場合、グループ２に含まれる最も小さい補償利得に対応する無線受信手段（以下、候補無線受信手段という。）を抽出し、グループ１に含まれる無線受信手段と候補無線受信手段に対応する補償利得との差の絶対値が所定値以上のときに、グループ１に含まれる無線受信手段の方を選択し、それ以外の場合は、候補無線受信手段を選択するのでもよい。ここで、上記の補償利得の差の判定に用いる所定値は、６ｄＢとすることができるが、他の値でもよい。
【０１５２】
さらに、グループ１に複数の無線受信手段が含まれる場合、グループ１に無線手段が含まれないがグループ２に複数の無線受信手段が含まれる場合は、または、グループ１に１の無線受信手段が含まれるがグループ２にも無線受信手段が含まれ、グループ１に含まれる無線受信手段と上記候補無線受信手段に対応する補償利得との差の絶対値が上記所定値未満の場合は、上記双方の補償利得の時間変化の情報に基づいて、減少方向である補償利得を含む補償利得情報を出力した無線受信手段１０１または無線受信手段１０２を示す情報を生成し、生成された無線受信手段１０１または無線受信手段１０２を示す情報ｓ３７０をブランチ切替手段８８０に出力する。
【０１５３】
ここで、上記の時間変化の情報は、例えば、所定の時間間隔で信号レベルを過去ｎ回にわたって検出し、検出された信号レベルが時間方向に関して単調に減少しているとき、信号レベルは減少する時間変化をしているとする。
なお、上記の検出回数であるｎについての説明は、本発明の第３の実施の形態において記載されているため、その説明を省略する。
【０１５４】
ここで、ダイバシティ判定手段８７０は、上記信号レベルの時間変化の情報が共に減少方向である場合または共に増加方向である場合は、本発明の第１の実施の形態のダイバシティ切替装置１００と同様に最も小さい補償利得に対応する候補無線受信手段を選択するのでも良い。
【０１５５】
ブランチ切替手段８８０は、ダイバシティ判定手段８７０によって出力された無線受信手段１０１または無線受信手段１０２を示す情報ｓ３７０と、ａブランチ誤り検出手段８９１によって出力された誤り訂正後のベースバンド信号ｓ３９３と、９２によって出力されたベースバンド信号ｓ３９４とを入力とする。ブランチ切替手段８８０は、入力された無線受信手段１０１または無線受信手段１０２を示す情報ｓ３７０に基づいて、入力された無線受信手段１０１の誤り訂正後のべースバンド信号ｓ３９３、または無線受信手段１０２の誤り訂正後のベースバンド信号ｓ３９４を外部の装置に出力する手段である。
【０１５６】
図９は、本発明の第６の実施の形態の段階的空間ダイバシティ切替方法における処理の流れを示すフローチャートである。
なお、本発明の第５の実施の形態の段階的空間ダイバシティ切替方法における処理と同様の処理を行うステップについては、ダイバシティ判定手段７０をダイバシティ判定手段８７０と読み換えると共に、同様の符号を付しその説明を省略する。
【０１５７】
ステップＳ９２０で、ダイバシティ判定手段８７０は、ａブランチ誤り検出手段８９１およびｂブランチ誤り検出手段８９２によって出力された誤り率を示す信号ｓ３９１、ｓ３９２を入力とし、入力された誤り率を示す信号ｓ３９１、ｓ３９２に応じて、誤り発生状況を判定し、上記判定に応じてその後の処理を分岐する。
【０１５８】
ステップＳ９２０で双方の無線受信手段８０１、８０２から出力されるベースバンド信号ｓ３５２、ｓ３６２に共に誤りが発生していると判断された場合、または共に誤りが発生していないと判断された場合、処理は、ステップＳ７３０に進む。
ステップＳ９２０で一方の無線受信手段から出力されるベースバンド信号に誤りが発生していると判断された場合、処理は、ステップＳ９２１に進む。
【０１５９】
ステップＳ９２１で、ダイバシティ判定手段８７０は、誤りが発生していない無線受信手段を示す情報を生成し、生成した無線受信手段を示す情報をブランチ切替手段８８０に出力する。
ステップＳ９６０で、ブランチ切替手段８８０は、ステップＳ９２１、Ｓ７３４、Ｓ７３５、Ｓ７４２、Ｓ７５２およびＳ７５３のいずれかによって選択されたベースバンド信号を出力信号ｓ３８０として外部の装置に出力する。
【０１６０】
以上説明したように、本発明の第６の実施の形態のダイバシティ切替装置は、無線受信手段によって出力されるベースバンド信号の誤り検出する手段を設け、誤りが検出されたベースバンド信号をダイバシティ切替装置が出力するベースバンド信号として選択しないため、ダイバシティ切替において選択される候補としての無線受信手段を誤りのないベースバンド信号を出力する無線受信手段に限定でき、効率の良い無線受信手段の選択が可能である。
【０１６１】
以下、本発明の第７の実施の形態について、図面を用いて説明する。
なお、本発明の第７の実施の形態のダイバシティ切替装置は、本発明の第６の実施の形態のダイバシティ切替装置８００と同様の構成を有するため、本発明の第７の実施の形態のダイバシティ切替装置についての説明は、ダイバシティ切替装置８００を用いて説明する。ただし、本発明の第７の実施の形態のダイバシティ切替装置を構成するダイバシティ判定手段の動作は、本発明の第６の実施の形態のダイバシティ判定手段８７０の動作とは、外部の装置に出力するベースバンド信号の選択のための判定方法が相違する。なお、本発明の第７の実施の形態のダイバシティ切替装置は、無線受信手段を２、３、４、８等、複数有するものとする。
【０１６２】
ダイバシティ判定手段８７０は、無線受信手段１０１のａ対数変換手段３３によって入力された補償利得情報および信号レベルと、無線受信手段１０２のｂ対数変換手段４３によって入力された補償利得情報および信号レベルとを入力とする。また、ダイバシティ判定手段８７０には、補償利得の領域を複数のグループに分けた際の各グループが占める補償利得の範囲（以下、補償利得領域という。）に関する情報（以下、補償利得領域情報という。）が入力され、または保持する。なお、これらのグループには優先度が指定されているものとする。
また、ダイバシティ判定手段８７０は、ａブランチ誤り検出手段８９１、ｂブランチ誤り検出手段８９２によって出力された誤り率を示す信号ｓ３９１、ｓ３９２を入力として、入力された２つの誤り率を示す信号に応じて各無線受信手段の誤り発生状況をグループ分けするための手段である。
【０１６３】
ここで、ダイバシティ判定手段８７０は、誤り発生状況のグループを、誤りが発生していない場合に、グループ１と判定し、誤りが発生し、誤り率が予め設定された数より少ない場合に、グループ２と判定し、誤りが発生し、誤り率が予め設定された数より多い場合に、グループ３と判定する。
【０１６４】
また、ダイバシティ判定手段８７０は、各無線受信手段の誤り発生状況のグループの組み合わせを確認し、一方の無線受信手段の誤り発生状況のグループがグループ１であり、かつ、もう一方の無線受信手段の誤り発生状況のグループがグループ２またはグループ３である場合に、誤り発生状況のグループがグループ１である方の無線受信手段を示す情報をブランチ切替手段８８０に出力する。
【０１６５】
また、ダイバシティ判定手段８７０は、各無線受信手段の誤り発生状況のグループの組み合わせを確認し、一方の無線受信手段の誤り発生状況のグループがグループ２であり、かつ、もう一方の無線受信手段の誤り発生状況のグループがグループ３である場合に、誤り発生状況のグループがグループ２である方の無線受信手段を示す情報をブランチ切替手段８８０に出力する。
【０１６６】
また、ダイバシティ判定手段８７０は、各無線受信手段の誤りの発生状況のグループの組み合わせを確認し、双方の無線受信手段の誤り発生状況が同一である場合に、各無線受信手段によって入力された補償利得情報に含まれる補償利得と上記の補償利得領域情報に基づいて、補償利得情報を出力した無線受信手段を上記の各グループに対応付ける。そして、ダイバシティ判定手段８７０は、上記の優先度が高い順番に１または複数のグループを候補グループとして選出し、候補グループに含まれる無線受信手段を対象にしてベースバンド信号を出力する無線受信手段を選択し、選択された無線受信手段を示す情報ｓ３７０をブランチ切替手段８８０に出力する手段である。
【０１６７】
ここで、図３は、補償利得領域と上記のグループとの対応付けの一例を示す説明図である。
図３において、ａ対数変換手段３３によって生成された補償利得情報に含まれる補償利得が０を含む領域、すなわち、目標レベルを含む領域を補償利得領域とするグループを優先度１のグループ１とする。次に、グループ１を挟む領域を、優先度１に次ぐ優先度２のグループ２とする。ここで、グループ１及びグループ２は、エラーのない（以下、エラーフリーという。）領域を補償利得領域とするという制限を更に付加するのでも良い。グループ３は、グループ１及びグループ２以外の補償利得領域とし、グループ３の優先度は優先度２に次ぐ優先度３とする。
【０１６８】
ダイバシティ判定手段８７０は、入力された補償利得情報ｓ３３４および補償利得領域情報とに基づいて、補償利得情報ｓ３３４を出力した無線受信手段１０１を、優先度が指定された上記のグループに対応付ける。この動作を他の無線受信手段についても行う。以上のようにグループへの対応付けが完了した後、選択の対象のグループを候補グループとして選択する。
【０１６９】
候補グループの選択は、例えば、グループ１に複数の無線受信手段が含まれる場合にグループ１のみを候補グループとして選択し、グループ１に１の無線受信手段が含まれるがグループ２にも無線受信手段が含まれる場合に、グループ１およびグループ２を候補グループとして選択する方法等によるものがある。ただし、候補グループの選択は、ベースバンド信号を出力する無線受信手段の選択候補を限定できるのであれば、他の方法によるものであっても良い。
【０１７０】
ダイバシティ判定手段８７０は、選択された候補グループに含まれる無線受信手段を示す情報ｓ３７０をブランチ切替手段８８０に出力する。
【０１７１】
ここで、候補グループに複数の無線受信手段が含まれている場合は、例えば、グループ１に１の無線受信手段が含まれるがグループ２にも無線受信手段が含まれる場合、グループ２に含まれる最も小さい補償利得に対応する無線受信手段（以下、候補無線受信手段という。）を抽出し、グループ１に含まれる無線受信手段と候補無線受信手段に対応する補償利得との差の絶対値が所定値以上のときに、グループ１に含まれる無線受信手段の方を選択し、それ以外の場合は、候補無線受信手段を選択するのでもよい。ここで、上記の補償利得の差の判定に用いる所定値は、６ｄＢとすることができるが、他の値でもよい。
【０１７２】
さらに、グループ１に複数の無線受信手段が含まれる場合、グループ１に無線手段が含まれないがグループ２に複数の無線受信手段が含まれる場合は、または、グループ１に１の無線受信手段が含まれるがグループ２にも無線受信手段が含まれ、グループ１に含まれる無線受信手段と上記候補無線受信手段に対応する補償利得との差の絶対値が上記所定値未満の場合は、上記双方の補償利得の時間変化の情報に基づいて、減少方向である補償利得を含む補償利得情報を出力した無線受信手段１０１または無線受信手段１０２を示す情報を生成し、生成された無線受信手段１０１または無線受信手段１０２を示す情報ｓ３７０をブランチ切替手段８８０に出力する。
【０１７３】
ここで、上記の時間変化の情報は、例えば、所定の時間間隔で信号レベルを過去ｎ回にわたって検出し、検出された信号レベルが時間方向に関して単調に減少しているとき、信号レベルは減少する時間変化をしているとする。
なお、上記の検出回数であるｎについての説明は、本発明の第３の実施の形態において記載されているため、その説明を省略する。
【０１７４】
ここで、ダイバシティ判定手段８７０は、上記信号レベルの時間変化の情報が共に減少方向である場合または共に増加方向である場合は、本発明の第１の実施の形態のダイバシティ切替装置１００と同様に最も小さい補償利得に対応する候補無線受信手段を選択するのでも良い。
【０１７５】
図１０は、本発明の第７の実施の形態のダイバシティ切替方法における処理の流れを示すフローチャートである。
なお、本発明の第５の実施の形態のダイバシティ切替装置における、ディジタルＡＧＣ機能を利用した段階的空間ダイバシティ切替処理の流れを示すフローチャートと同様の処理を行うステップは、ダイバシティ判定手段７０をダイバシティ判定手段８７０と読み換えると共に、同様の符号を付しその説明を省略する。
【０１７６】
ステップＳ１０２０で、ダイバシティ判定手段８７０は、ａブランチ誤り検出手段８９１、ｂブランチ誤り検出手段８９２によって出力された誤り率を示す信号ｓ３９１、ｓ３９２を入力として、入力された２つの誤り率を示す信号に応じて各無線受信手段の誤り発生状況をグループ分けする。
【０１７７】
ステップＳ１０２１で、ダイバシティ判定手段８７０は、各無線受信手段の誤り発生状況のグループの組み合わせを確認し、各無線受信手段の誤り発生状況のグループの組み合わせを確認し、組み合わせ結果に応じて、その後の処理を分岐する。
一方の無線受信手段の誤り発生状況のグループがグループ１であり、かつ、もう一方の無線受信手段の誤り発生状況のグループがグループ２またはグループ３である場合に、処理は、ステップＳ１０２２に進む。
【０１７８】
一方の無線受信手段の誤り発生状況のグループがグループ２であり、かつ、もう一方の無線受信手段の誤り発生状況のグループがグループ３である場合に、処理は、ステップＳ１０２３に進む。
双方の無線受信手段の誤り発生状況のグループが同一である場合に、処理は、ステップＳ７３０に進む。
【０１７９】
ステップＳ１０２２で、ダイバシティ判定手段８７０は、誤り発生状況のグループがグループ１である方の無線受信手段を示す情報をブランチ切替手段８８０に出力する。
ステップＳ１０２３で、ダイバシティ判定手段８７０は、誤り発生状況のグループがグループ２である方の無線受信手段を示す情報をブランチ切替手段８８０に出力する。
【０１８０】
ステップＳ１０６０で、ブランチ切替手段８８０は、ステップＳ１０２２、Ｓ１０２３、Ｓ７３４、Ｓ７３５、Ｓ７４２、Ｓ７５２およびＳ７５３のいずれかによって選択されたベースバンド信号を出力信号ｓ３８０として外部の装置に出力する。
【０１８１】
以上説明したように、本発明の第７の実施の形態のダイバシティ切替装置は、無線受信手段によって出力されるベースバンド信号の誤り検出する手段を設け、誤り率の少ないベースバンド信号をダイバシティ切替装置が出力するベースバンド信号として選択するため、ダイバシティ切替において選択される候補としての無線受信手段を誤り率の少ないベースバンド信号を出力する無線受信手段に限定でき、安定した効率の良い無線受信手段の選択が可能である。
【０１８２】
図１１は、本発明の第８の実施の形態のダイバシティ切替装置１１００のブロック構成を示す図である。
ダイバシティ切替装置１１００は、アナログ信号を無線で受信し、受信した受信信号のレベルを所定の目標レベルに設定する無線受信手段１０１、１０２、無線受信手段１０１と無線受信手段１０２とによって受信された受信信号の信号レベルを比較して信号レベルが目標レベルに近い方を選択するダイバシティ判定手段１１７０、ダイバシティ判定手段１１７０によって選択された無線受信手段によって得られたベースバンド信号を外部の装置に出力するブランチ切替手段１１８０、およびブランチ切替手段１１８０によって出力されたベースバンド信号の誤り検出と誤り訂正を行う誤り検出手段１１９０を備えている。
なお、本発明の第８の実施の形態のダイバシティ切替装置は、無線受信手段を２、３、４、８等、複数有するものとする。
【０１８３】
なお、ダイバシティ判定手段１１７０とブランチ切替手段１１８０とによってブランチ判定切替手段が構成されている。
本発明の第８の実施の形態のダイバシティ切替装置１１００を構成する構成手段のうち、本発明の第１の実施の形態のダイバシティ切替装置１００を構成する構成手段と同様の処理を行うものについては、同一の符号を付し、その説明を省略する。
【０１８４】
ダイバシティ判定手段１１７０は、無線受信手段１０１のａ対数変換手段３３によって入力された補償利得情報および信号レベルと、無線受信手段１０２のｂ対数変換手段４３によって入力された補償利得情報および信号レベルとを入力とする。また、ダイバシティ判定手段１１７０には、補償利得の領域を複数のグループに分けた際の各グループが占める補償利得の範囲（以下、補償利得領域という。）に関する情報（以下、補償利得領域情報という。）が入力され、または保持する。なお、これらのグループには優先度が指定されているものとする。
また、ダイバシティ判定手段１１７０は、誤り検出手段１１９０によって出力された誤り率を示す信号ｓ３９１を入力として、入力された誤り率を示す信号に応じて各無線受信手段の誤り発生状況をグループ分けするための手段である。
ここで、ダイバシティ判定手段１１７０は、誤り発生状況のグループを、誤りが発生していない場合に、グループ１と判定し、誤りが発生し、誤り率が予め設定された数より少ない場合に、グループ２と判定し、誤りが発生し、誤り率が予め設定された数より多い場合に、グループ３と判定する。
【０１８５】
また、ダイバシティ判定手段１１７０は、誤り発生状況のグループがグループ３であると判定され、さらに、現在選択されている無線受信手段によって入力された信号レベルの時間変化の情報が単調減少である場合に、現在選択されていない無線受信手段を示す情報を生成し、生成された現在選択されていない無線受信手段を示す情報ｓ３７０をブランチ切替手段１１８０に出力する。
【０１８６】
ここで、上記の時間変化の情報は、例えば、所定の時間間隔で信号レベルを検出し、累積された信号レベル情報であって、過去ｎ回連続して信号レベルが減少している場合は、単調減少であるとみなす。
なお、上記の検出回数であるｎについての説明は、本発明の第３の実施の形態において記載されているため、その説明を省略する。
【０１８７】
また、ダイバシティ判定手段１１７０は、誤り発生状況の判定の結果、双方の無線受信手段で誤りが発生している場合、または、双方の無線受信手段で誤りが発生していない場合、または、誤り発生状況のグループがグループ３であると判定され、さらに、現在選択されている無線受信手段によって入力された補償利得情報に含まれる信号レベルの時間変化の情報が単調減少でない場合に、無線受信手段１０１のａ対数変換手段３３によって入力された補償利得情報および信号レベルと、無線受信手段１０２のｂ対数変換手段４３によって入力された補償利得情報および信号レベルとを入力とする。また、ダイバシティ判定手段１１７０には、補償利得の領域を複数のグループに分けた際の各グループが占める補償利得の範囲（以下、補償利得領域という。）に関する情報（以下、補償利得領域情報という。）が入力され、または保持する。なお、これらのグループには優先度が指定されているものとする。
【０１８８】
ダイバシティ判定手段１１７０は、各無線受信手段によって入力された補償利得情報に含まれる補償利得と上記の補償利得領域情報に基づいて、補償利得情報を出力した無線受信手段を上記の各グループに対応付ける。そして、ダイバシティ判定手段１１７０は、上記の優先度が高い順番に１または複数のグループを候補グループとして選出し、候補グループに含まれる無線受信手段を対象にしてベースバンド信号を出力する無線受信手段を選択し、選択された無線受信手段を示す情報ｓ３７０をブランチ切替手段１１８０に出力する手段である。
【０１８９】
ここで、図３は、補償利得領域と上記のグループとの対応付けの一例を示す説明図である。
図３において、ａ対数変換手段３３によって生成された補償利得情報に含まれる補償利得が０を含む領域、すなわち、目標レベルを含む領域を補償利得領域とするグループを優先度１のグループ１とする。次に、グループ１を挟む領域を、優先度１に次ぐ優先度２のグループ２とする。ここで、グループ１及びグループ２は、エラーのない（以下、エラーフリーという。）領域を補償利得領域とするという制限を更に付加するのでも良い。グループ３は、グループ１及びグループ２以外の補償利得領域とし、グループ３の優先度は優先度２に次ぐ優先度３とする。
【０１９０】
ダイバシティ判定手段１１７０は、入力された補償利得情報ｓ３３４および補償利得領域情報とに基づいて、補償利得情報ｓ３３４を出力した無線受信手段１０１を、優先度が指定された上記のグループに対応付ける。この動作を他の無線受信手段についても行う。以上のようにグループへの対応付けが完了した後、選択の対象のグループを候補グループとして選択する。
【０１９１】
候補グループの選択は、例えば、グループ１に複数の無線受信手段が含まれる場合にグループ１のみを候補グループとして選択し、グループ１に１の無線受信手段が含まれるがグループ２にも無線受信手段が含まれる場合に、グループ１およびグループ２を候補グループとして選択する方法等によるものがある。ただし、候補グループの選択は、ベースバンド信号を出力する無線受信手段の選択候補を限定できるのであれば、他の方法によるものであっても良い。
【０１９２】
ダイバシティ判定手段１１７０は、選択された候補グループに含まれる無線受信手段を示す情報ｓ３７０をブランチ切替手段１１８０に出力する。
【０１９３】
ここで、候補グループに複数の無線受信手段が含まれている場合は、例えば、グループ１に１の無線受信手段が含まれるがグループ２にも無線受信手段が含まれる場合、グループ２に含まれる最も小さい補償利得に対応する無線受信手段（以下、候補無線受信手段という。）を抽出し、グループ１に含まれる無線受信手段と候補無線受信手段に対応する補償利得との差の絶対値が所定値以上のときに、グループ１に含まれる無線受信手段の方を選択し、それ以外の場合は、候補無線受信手段を選択するのでもよい。ここで、上記の補償利得の差の判定に用いる所定値は、６ｄＢとすることができるが、他の値でもよい。
【０１９４】
さらに、グループ１に複数の無線受信手段が含まれる場合、グループ１に無線手段が含まれないがグループ２に複数の無線受信手段が含まれる場合は、または、グループ１に１の無線受信手段が含まれるがグループ２にも無線受信手段が含まれ、グループ１に含まれる無線受信手段と上記候補無線受信手段に対応する補償利得との差の絶対値が上記所定値未満の場合は、上記双方の補償利得の時間変化の情報に基づいて、減少方向である補償利得を含む補償利得情報を出力した無線受信手段１０１または無線受信手段１０２を示す情報を生成し、生成された無線受信手段１０１または無線受信手段１０２を示す情報ｓ３７０をブランチ切替手段１１８０に出力する。
【０１９５】
ここで、上記の時間変化の情報は、例えば、所定の時間間隔で信号レベルを過去ｎ回にわたって検出し、検出された信号レベルが時間方向に関して単調に減少しているとき、信号レベルは減少する時間変化をしているとする。
なお、上記の検出回数であるｎについての説明は、本発明の第３の実施の形態において記載されているため、その説明を省略する。
【０１９６】
ここで、ダイバシティ判定手段１１７０は、上記信号レベルの時間変化の情報が共に減少方向である場合または共に増加方向である場合は、本発明の第１の実施の形態のダイバシティ切替装置１００と同様に最も小さい補償利得に対応する候補無線受信手段を選択するのでも良い。
【０１９７】
ブランチ切替手段１１８０は、ダイバシティ判定手段１１７０によって入力された無線受信手段１０１または無線受信手段１０２を示す情報ｓ３７０と、無線受信手段１０１のαブランチフレーム同期手段５２によって出力されたデータｓ３５２と、無線受信手段１０２のβブランチフレーム同期手段６２によって出力されたデータｓ３６２とを入力とし、入力された無線受信手段１０１または無線受信手段１０２を示す情報ｓ３７０に基づいて、入力された無線受信手段１０１のαブランチフレーム同期手段５２によって出力されたベースバンド信号ｓ３５２、または無線受信手段１０２のβブランチフレーム同期手段６２によって出力されたベースバンド信号ｓ３６２を誤り検出手段１１９０に出力する手段である。
【０１９８】
誤り検出手段１１９０は、ブランチ切替手段１１８０によって出力されたベースバンド信号ｓ３５２またはベースバンド信号ｓ３６２を入力とし、入力されたベースバンド信号の誤り率を検出し、検出された誤り率を示す信号ｓ３９１を生成して、生成された誤り率を示す信号ｓ３９１をダイバシティ判定手段１１７０に出力するための手段である。
【０１９９】
また、誤り検出手段１１９０は、検出されたベースバンド信号の誤り率に応じて、ベースバンド信号の誤り訂正を行う。なお、誤り検出および誤り訂正は、ＣＲＣチェック、またはブロック符号化誤り訂正などの方式があるが、これらは全て送信側で予め設定された規則に則って行われる。また、誤り検出手段１１９０は、誤り訂正後のベースバンド信号ｓ３９０を外部の装置に出力する。
【０２００】
図１２は、本発明の第８の実施の形態のダイバシティ切替方法における処理の流れを示すフローチャートである。
なお、本発明の第５の実施の形態のダイバシティ切替装置における、ディジタルＡＧＣ機能を利用した段階的空間ダイバシティ切替処理の流れを示すフローチャートと同様の処理を行うステップは、ダイバシティ判定手段７０をダイバシティ判定手段１１７０と読み換えると共に、同様の符号を付しその説明を省略する。
【０２０１】
ステップＳ１２２０で、ダイバシティ判定手段１１７０は、誤り検出手段１１９０によって出力されたベースバンド信号の誤り率を示す信号ｓ３９１を入力として、入力された誤り率を示す信号に応じて各無線受信手段の誤り発生状況をグループ分けする。
【０２０２】
ステップＳ１２２１で、ダイバシティ判定手段１１７０は、ベースバンド信号の誤り発生状況のグループを確認し、誤り発生状況のグループに応じて、その後の処理を分岐する。
ベースバンド信号の誤り発生状況のグループがグループ１、またはグループ２である場合に、処理は、Ｓ７３０に進む。
ベースバンド信号の誤り発生状況のグループがグループ３の場合に、処理は、Ｓ１２２２に進む。
【０２０３】
ステップＳ１２２２で、ダイバシティ判定手段１１７０は、現在選択されている無線受信手段によって入力された補償利得情報に含まれる信号レベルの時間変化の情報が単調減少であるか否かを判定し、上記判定結果に応じその後の処理を分岐する。
現在選択されている無線受信手段によって入力された補償利得情報に含まれる信号レベルの時間変化の情報が単調減少である場合に、処理は、ステップＳ７３０に進む。
現在選択されている無線受信手段によって入力された補償利得情報に含まれる信号レベルの時間変化の情報が単調減少でない場合に、処理は、ステップＳ１２２３に進む。
【０２０４】
ステップＳ１２２３で、ダイバシティ判定手段１１７０は、現在選択されていない方の無線受信手段を示す情報をブランチ切替手段１１８０に出力する。
【０２０５】
ステップＳ１２６０で、ブランチ切替手段１１８０は、ステップＳ１２２３、Ｓ７３４、Ｓ７３５、Ｓ７４２、Ｓ７５２およびＳ７５３のいずれかによって選択されたベースバンド信号を出力信号ｓ３８０として外部の装置に出力する。
【０２０６】
以上説明したように、本発明の第８の実施の形態のダイバシティ切替装置は、ブランチ切替手段によって出力されるベースバンド信号の誤り検出する手段を設け、検出された誤りに関する情報にも基づいてダイバシティ切替装置が出力するベースバンド信号の選択を判断するため、出力されるベースバンド信号の誤りの情報も考慮され、効率の良い無線受信手段の選択が可能である。
【０２０７】
図１３は、本発明の第９の実施の形態のダイバシティ切替装置１３００のブロック構成を示す図である。
ダイバシティ切替装置１３００は、アナログ信号を無線で受信し、受信した受信信号のレベルを所定の目標レベルに設定する無線受信手段１０１、１０２、無線受信手段１０１と無線受信手段１０２とによって受信された受信信号の信号レベルを比較して信号レベルが目標レベルに近い方を選択するダイバシティ判定手段１３７０、ダイバシティ判定手段１３７０によって選択された無線受信手段によって得られたベースバンド信号を外部の装置に出力するブランチ切替手段１３８０、およびブランチ切替手段１３８０によって出力されたベースバンド信号の誤り検出と誤り訂正を行う誤り検出手段１３９０を備えている。
なお、本発明の第５の実施の形態のダイバシティ切替装置は、無線受信手段を２、３、４、８等、複数有するものとする。
【０２０８】
なお、ダイバシティ判定手段１３７０とブランチ切替手段１３８０とによってブランチ判定切替手段が構成されている。
本発明の第９の実施の形態のダイバシティ切替装置１３００を構成する構成手段のうち、本発明の第１の実施の形態のダイバシティ切替装置１００を構成する構成手段と同様の処理を行うものについては、同一の符号を付し、その説明を省略する。
【０２０９】
ダイバシティ判定手段１３７０は、無線受信手段１０１のａ対数変換手段３３によって入力された補償利得情報および信号レベルと、無線受信手段１０２のｂ対数変換手段４３によって入力された補償利得情報および信号レベルとを入力とする。また、ダイバシティ判定手段１３７０には、補償利得の領域を複数のグループに分けた際の各グループが占める補償利得の範囲（以下、補償利得領域という。）に関する情報（以下、補償利得領域情報という。）が入力され、または保持する。なお、これらのグループには優先度が指定されているものとする。
また、ダイバシティ判定手段１１７０は、無線受信手段１０１によって出力されたベースバンド信号ｓ３５２と無線受信手段１０２によって出力されたベースバンド信号ｓ３６２とを入力とし、入力されたベースバンド信号の同期が確立しているか否かの判定を行うための手段である。
【０２１０】
また、ダイバシティ判定手段１３７０は、入力された２つのベースバンド信号のいずれかの同期が確立しており、かつ、入力された２つのベースバンド信号のいずれかの同期が確立していない場合に、同期が確立されたベースバンド信号を出力した方の無線受信手段を示す情報をブランチ切替手段１３８０に出力する。
【０２１１】
ダイバシティ判定手段１３７０は、入力された２つのベースバンド信号の双方の同期が確立されている場合に、または、入力された２つのベースバンド信号の双方の同期が確立されていない場合に、誤り検出手段１３９０によって出力された誤り率を示す信号ｓ３９１を入力として、入力された誤り率を示す信号に応じて各無線受信手段の誤り発生状況をグループ分けする。
【０２１２】
ここで、ダイバシティ判定手段１３７０は、誤り発生状況のグループを、誤りが発生していない場合に、グループ１と判定し、誤りが発生し、誤り率が予め設定された数より少ない場合に、グループ２と判定し、誤りが発生し、誤り率が予め設定された数より多い場合に、グループ３と判定する。
【０２１３】
また、ダイバシティ判定手段１３７０は、誤り発生状況のグループがグループ３であると判定され、さらに、現在選択されている無線受信手段によって入力された信号レベルの時間変化の情報が単調減少である場合に、現在選択されていない無線受信手段を示す情報を生成し、生成された現在選択されていない無線受信手段を示す情報ｓ３７０をブランチ切替手段１３８０に出力する。
【０２１４】
ここで、上記の時間変化の情報は、例えば、所定の時間間隔で信号レベルを検出し、累積された信号レベル情報であって、過去ｎ回連続して信号レベルが減少している場合は、単調減少であるとみなす。
なお、上記の検出回数であるｎについての説明は、本発明の第３の実施の形態において記載されているため、その説明を省略する。
【０２１５】
また、ダイバシティ判定手段１３７０は、誤り発生状況の判定の結果、双方の無線受信手段で誤りが発生している場合、または、双方の無線受信手段で誤りが発生していない場合、または、誤り発生状況のグループがグループ３であると判定され、さらに、現在選択されている無線受信手段によって入力された補償利得情報に含まれる信号レベルの時間変化の情報が単調減少でない場合に、各無線受信手段によって入力された補償利得情報に含まれる補償利得と上記の補償利得領域情報に基づいて、補償利得情報を出力した無線受信手段を上記の各グループに対応付ける。そして、ダイバシティ判定手段１３７０は、上記の優先度が高い順番に１または複数のグループを候補グループとして選出し、候補グループに含まれる無線受信手段を対象にしてベースバンド信号を出力する無線受信手段を選択し、選択された無線受信手段を示す情報ｓ３７０をブランチ切替手段１３８０に出力する手段である。
【０２１６】
ここで、図３は、補償利得領域と上記のグループとの対応付けの一例を示す説明図である。
図３において、ａ対数変換手段３３によって生成された補償利得情報に含まれる補償利得が０を含む領域、すなわち、目標レベルを含む領域を補償利得領域とするグループを優先度１のグループ１とする。次に、グループ１を挟む領域を、優先度１に次ぐ優先度２のグループ２とする。ここで、グループ１及びグループ２は、エラーのない（以下、エラーフリーという。）領域を補償利得領域とするという制限を更に付加するのでも良い。グループ３は、グループ１及びグループ２以外の補償利得領域とし、グループ３の優先度は優先度２に次ぐ優先度３とする。
【０２１７】
ダイバシティ判定手段１３７０は、入力された補償利得情報ｓ３３４および補償利得領域情報とに基づいて、補償利得情報ｓ３３４を出力した無線受信手段１０１を、優先度が指定された上記のグループに対応付ける。この動作を他の無線受信手段についても行う。以上のようにグループへの対応付けが完了した後、選択の対象のグループを候補グループとして選択する。
【０２１８】
候補グループの選択は、例えば、グループ１に複数の無線受信手段が含まれる場合にグループ１のみを候補グループとして選択し、グループ１に１の無線受信手段が含まれるがグループ２にも無線受信手段が含まれる場合に、グループ１およびグループ２を候補グループとして選択する方法等によるものがある。ただし、候補グループの選択は、ベースバンド信号を出力する無線受信手段の選択候補を限定できるのであれば、他の方法によるものであっても良い。
【０２１９】
ダイバシティ判定手段１３７０は、選択された候補グループに含まれる無線受信手段を示す情報ｓ３７０をブランチ切替手段１３８０に出力する。
【０２２０】
ここで、候補グループに複数の無線受信手段が含まれている場合は、例えば、グループ１に１の無線受信手段が含まれるがグループ２にも無線受信手段が含まれる場合、グループ２に含まれる最も小さい補償利得に対応する無線受信手段（以下、候補無線受信手段という。）を抽出し、グループ１に含まれる無線受信手段と候補無線受信手段に対応する補償利得との差の絶対値が所定値以上のときに、グループ１に含まれる無線受信手段の方を選択し、それ以外の場合は、候補無線受信手段を選択するのでもよい。ここで、上記の補償利得の差の判定に用いる所定値は、６ｄＢとすることができるが、他の値でもよい。
【０２２１】
さらに、グループ１に複数の無線受信手段が含まれる場合、グループ１に無線手段が含まれないがグループ２に複数の無線受信手段が含まれる場合は、または、グループ１に１の無線受信手段が含まれるがグループ２にも無線受信手段が含まれ、グループ１に含まれる無線受信手段と上記候補無線受信手段に対応する補償利得との差の絶対値が上記所定値未満の場合は、上記双方の補償利得の時間変化の情報に基づいて、減少方向である補償利得を含む補償利得情報を出力した無線受信手段１０１または無線受信手段１０２を示す情報を生成し、生成された無線受信手段１０１または無線受信手段１０２を示す情報ｓ３７０をブランチ切替手段１３８０に出力する。
【０２２２】
ここで、上記の時間変化の情報は、例えば、所定の時間間隔で信号レベルを過去ｎ回にわたって検出し、検出された信号レベルが時間方向に関して単調に減少しているとき、信号レベルは減少する時間変化をしているとする。
なお、上記の検出回数であるｎについての説明は、本発明の第３の実施の形態において記載されているため、その説明を省略する。
【０２２３】
ここで、ダイバシティ判定手段１３７０は、上記信号レベルの時間変化の情報が共に減少方向である場合または共に増加方向である場合は、本発明の第１の実施の形態のダイバシティ切替装置１００と同様に最も小さい補償利得に対応する候補無線受信手段を選択するのでも良い。
【０２２４】
ブランチ切替手段１３８０は、ダイバシティ判定手段１３７０によって入力された無線受信手段１０１または無線受信手段１０２を示す情報ｓ３７０と、無線受信手段１０１のαブランチフレーム同期手段５２によって出力されたデータｓ３５２と、無線受信手段１０２のβブランチフレーム同期手段６２によって出力されたデータｓ３６２とを入力とし、入力された無線受信手段１０１または無線受信手段１０２を示す情報ｓ３７０に基づいて、入力された無線受信手段１０１のαブランチフレーム同期手段５２によって出力されたベースバンド信号ｓ３５２、または無線受信手段１０２のβブランチフレーム同期手段６２によって出力されたベースバンド信号ｓ３６２を誤り検出手段１３９０に出力する手段である。
【０２２５】
誤り検出手段１３９０は、ブランチ切替手段１３８０によって出力されたベースバンド信号ｓ３５２またはベースバンド信号ｓ３６２を入力とし、入力されたベースバンド信号の誤り率を検出し、検出された誤り率を示す信号ｓ３９１を生成して、生成された誤り率を示す信号ｓ３９１をダイバシティ判定手段１３７０に出力するための手段である。
【０２２６】
また、誤り検出手段１３９０は、検出されたベースバンド信号の誤り率に応じて、ベースバンド信号の誤り訂正を行う。なお、誤り検出および誤り訂正は、ＣＲＣチェック、またはブロック符号化誤り訂正などの方式があるが、これらは全て送信側で予め設定された規則に則って行われる。また、誤り検出手段１３９０は、誤り訂正後のベースバンド信号ｓ３９０を外部の装置に出力する。
【０２２７】
図１４は、本発明の第９の実施の形態のダイバシティ切替方法における処理の流れを示すフローチャートである。
なお、本発明の第８の実施の形態のダイバシティ切替装置における、ディジタルＡＧＣ機能を利用した段階的空間ダイバシティ切替処理の流れを示すフローチャートと同様の処理を行うステップは、ダイバシティ判定手段７０をダイバシティ判定手段１３７０と読み換えると共に、同様の符号を付しその説明を省略する。
【０２２８】
ステップＳ１４１０で、ダイバシティ判定手段１３７０は、無線受信手段１０１によって出力されたベースバンド信号ｓ３５２と無線受信手段１０２によって出力されたベースバンド信号ｓ３６２とを入力とし、入力されたベースバンド信号の同期が確立しているか否かの判定を行い、上記判定結果に応じてその後の処理を分岐する。
【０２２９】
入力された２つのベースバンド信号のいずれかの同期が確立しており、かつ、入力された２つのベースバンド信号のいずれかの同期が確立していない場合に、処理は、ステップＳ１４１１に進む。
入力された２つのベースバンド信号の双方の同期が確立されている場合に、または、入力された２つのベースバンド信号の双方の同期が確立されていない場合に、処理は、ステップＳ１２２０に進む。
【０２３０】
ステップＳ１４６０で、ブランチ切替手段１３８０は、ステップＳ１４１１、Ｓ１２２３、Ｓ７３４、Ｓ７３５、Ｓ７４２、Ｓ７５２およびＳ７５３のいずれかによって選択されたベースバンド信号を出力信号ｓ３８０として外部の装置に出力する。
【０２３１】
以上説明したように、本発明の第９の実施の形態のダイバシティ切替装置は、復号信号中に含まれるユニークワード信号が検出されない場合に、ユニークワード信号が検出されない復号信号に対応するベースバンド信号をダイバシティ切替装置が出力するベースバンド信号として選択しないため、ダイバシティ切替において選択される候補としての無線受信手段を誤りの少ないベースバンド信号を出力する無線受信手段に限定でき、効率の良い無線受信手段の選択が可能である。
【０２３２】
【発明の効果】
以上説明したように、本発明は、ＡＧＣ制御誤差または受信環境による受信性能への影響の低減が可能なダイバシティ切替装置を提供することができる。
【図面の簡単な説明】
【図１】本発明の第１の実施の形態のダイバシティ切替装置の概略のブロック構成を示す図
【図２】本発明の第１の実施の形態のダイバシティ切替方法における処理の流れを示すフローチャート
【図３】本発明の第２の実施の形態のダイバシティ切替装置における補償利得領域とグループとの対応付けの一例を示す説明図
【図４】本発明の第２の実施の形態のダイバシティ切替方法における処理の流れを示すフローチャート
【図５】本発明の第３の実施の形態のダイバシティ切替方法における処理の流れを示すフローチャート
【図６】本発明の第４の実施の形態のダイバシティ切替方法における処理の流れを示すフローチャート
【図７】本発明の第５の実施の形態のダイバシティ切替方法における処理の流れを示すフローチャート
【図８】本発明の第６の実施の形態のダイバシティ切替装置の概略のブロック構成を示す図
【図９】本発明の第６の実施の形態のダイバシティ切替方法における処理の流れを示すフローチャート
【図１０】本発明の第７の実施の形態のダイバシティ切替方法における処理の流れを示すフローチャート
【図１１】本発明の第８の実施の形態のダイバシティ切替装置の概略のブロック構成を示す図
【図１２】本発明の第８の実施の形態のダイバシティ切替方法における処理の流れを示すフローチャート
【図１３】本発明の第９の実施の形態のダイバシティ切替装置の概略のブロック構成を示す図
【図１４】本発明の第９の実施の形態のダイバシティ切替方法における処理の流れを示すフローチャート
【図１５】従来のダイバシティ切替装置の概略のブロック構成を示す図
【符号の説明】
１１、１５１１　ａブランチＩＦ段ＡＧＣアンプ
１２、１５１２　ａブランチＩＦ段ＡＤコンバータ
１３、１５１３　ａブランチデジタル直交復調／ナイキストフィルタ手段
２１、１５２１　ｂブランチＩＦ段ＡＧＣアンプ
２２、１５２２　ｂブランチＩＦ段ＡＤコンバータ
２３、１５２３　ａブランチデジタル直交復調／ナイキストフィルタ手段
３０、４０、１５３０、１５４０　ＡＧＣ制御手段
３１、１５３１　ａブランチ電力変換処理手段
３２、１５３２　ａブランチスムージングフィルタ
３３、１５３３　ａブランチ対数変換手段
４１、１５４１　ｂブランチ電力変換処理手段
４２、１５４２　ｂブランチスムージングフィルタ
４３、１５４３　ｂブランチ対数変換手段
５１、１５５１　ａブランチ復号手段
５２、１５５２　ａブランチフレーム同期手段
６１、１５６１　ｂブランチ復号手段
６２、１５６２　ｂブランチフレーム同期手段５２
７０、８７０、１１７０、１３７０、１５７０　ダイバシティ判定手段
８０、８８０、１１８０、１３８０、１５８０　ブランチ切替手段
１００、８００、１１００、１３００、１５００　ダイバシティ切替装置
１０１、１０２、１５０１、１５０２　無線受信手段
８９１　ａブランチ誤り検出手段
８９２　ｂブランチ誤り検出手段
１１９０、１３９０　誤り検出手段
ｓ３０１　無線受信手段１０１の受信されたアナログ信号
ｓ３０２　無線受信手段１０２の受信されたアナログ信号
ｓ３１１　無線受信手段１０１の増幅されたアナログ信号
ｓ３１２　無線受信手段１０１の量子化された多値のデジタル信号
ｓ３１３　無線受信手段１０１のＩ軸成分信号
ｓ３１４　無線受信手段１０１のＱ軸成分信号
ｓ３２１　無線受信手段１０２の増幅されたアナログ信号
ｓ３２２　無線受信手段１０２の量子化された多値のデジタル信号
ｓ３２３　無線受信手段１０２のＩ軸成分信号
ｓ３２４　無線受信手段１０２のＱ軸成分信号
ｓ３３１　無線受信手段１０１の復調合成信号
ｓ３３２　無線受信手段１０１のスムージングされた復調合成信号
ｓ３３３　無線受信手段１０１の補償利得情報
ｓ３３４　無線受信手段１０１の補償利得情報
ｓ３４１　無線受信手段１０２の復調合成信号
ｓ３４２　無線受信手段１０２のスムージングされた復調合成信号
ｓ３４３　無線受信手段１０２の補償利得情報
ｓ３４４　無線受信手段１０２の補償利得情報
ｓ３５１　無線受信手段１０１の復号信号
ｓ３５２　無線受信手段１０１のベースバンド信号
ｓ３６１　無線受信手段１０２の復号信号
ｓ３６２　無線受信手段１０２のベースバンド信号
ｓ３９１、ｓ３９２　誤り率を示す信号
ｓ３９３　無線受信手段１０１の誤り訂正後のベースバンド信号
ｓ３９４　無線受信手段１０２の誤り訂正後のベースバンド信号
ｓ３７０　選択された無線受信手段を示す情報
ｓ３８０　ベースバンド信号
ｓ３９０　誤り訂正後のベースバンド信号
【図１】
2004015124.tif 000003
【図２】
2004015124.tif 000004
【図３】
2004015124.tif 000005
【図４】
2004015124.tif 000006
【図５】
2004015124.tif 000007
【図６】
2004015124.tif 000008
【図７】
2004015124.tif 000009
【図８】
2004015124.tif 000010
【図９】
2004015124.tif 000011
【図１０】
2004015124.tif 000012
【図１１】
2004015124.tif 000013
【図１２】
2004015124.tif 000014
【図１３】
2004015124.tif 000015
【図１４】
2004015124.tif 000016
【図１５】
2004015124.tif 000017